(57)【特許請求の範囲】
【請求項１】
雄連結具を挿入可能な雌連結具と、
前記雌連結具の内部に位置決めされた状態で配置され、前記雄連結具を抜き取り可能に支持する案内部材と、
からなる連結具であって、
前記雌連結具及び前記案内部材の少なくとも何れか一方は、前記雌連結具の内部に挿入された前記雄連結具に係合することにより、前記雄連結具を前記雌連結具の内部に挿入した状態にロックするロック部材を備えており、
前記案内部材は、
ベース壁部と、
前記ベース壁部から相互に対向した状態において同一方向に延びる少なくとも一対の壁部と、
を備え、
前記一対の壁部の少なくとも何れか一方は弾性力を有しており、前記一方の壁部は他方の壁部に対して近接及び離間が可能であり、
前記ロック部材は、前記雄連結具が前記雌連結具の内部に挿入された状態においては、前記弾性力の作用によって前記雄連結具に係合し、
前記雌連結具を介して前記案内部材の前記壁部を近接又は離間させることによって前記ロック部材は前記雄連結具との係合を解除するものであり、
前記一対の壁部は前記ベース壁部から前記雄連結具の挿入方向とは反対方向に延び、前記一対の壁部の少なくとも何れか一方の先端は、前記雌連結具の内部に挿入された前記雄連結具を支持可能または前記雄連結具に係合可能であるように屈曲している連結具。
【請求項２】
雄連結具を挿入可能な雌連結具と、
前記雌連結具の内部に位置決めされた状態で配置され、前記雄連結具を抜き取り可能に支持する案内部材と、
からなる連結具であって、
前記雌連結具及び前記案内部材の少なくとも何れか一方は、前記雌連結具の内部に挿入された前記雄連結具に係合することにより、前記雄連結具を前記雌連結具の内部に挿入した状態にロックするロック部材を備えており、
前記案内部材は、
ベース壁部と、
前記ベース壁部から相互に対向した状態において同一方向に延びる少なくとも一対の壁部と、
を備え、
前記一対の壁部の少なくとも何れか一方は弾性力を有しており、前記一方の壁部は他方の壁部に対して近接及び離間が可能であり、
前記ロック部材は、前記雄連結具が前記雌連結具の内部に挿入された状態においては、前記弾性力の作用によって前記雄連結具に係合し、
前記雌連結具を介して前記案内部材の前記壁部を近接又は離間させることによって前記ロック部材は前記雄連結具との係合を解除するものであり、
前記ベース壁部には前記雄連結具が通過可能な開口部が形成されている連結具。
【請求項３】
前記開口部の周縁の少なくとも一部に沿って前記雄連結具の挿入方向またはその逆方向に延びる補強部材が形成されていることを特徴とする請求項２に記載の連結具。
【請求項４】
前記ベース壁部から前記一対の壁部と同一方向に延びる少なくとも一つの位置決め用壁部を備え、前記位置決め用壁部はその先端において前記雌連結具に着脱可能に係合するものであることを特徴とする請求項１乃至３の何れか一項に記載の連結具。
【請求項５】
前記位置決め用壁部は一枚の板を折り曲げた二層構造を有していることを特徴とする請求項４に記載の連結具。
【請求項６】
前記ロック部材は、前記一対の壁部の少なくとも何れか一方の先端と基端の間において形成され、前記雄連結具に係合可能な凸状部からなるものであることを特徴とする請求項１乃至５の何れか一項に記載の連結具。
【請求項７】
前記ロック部材は、前記一対の壁部の少なくとも何れか一方の先端から他方の壁部に向かって延びる延長片から形成されるものであることを特徴とする請求項１乃至５の何れか一項に記載の連結具。
【請求項８】
前記雌連結具は前記案内部材を内部に収容可能な収納部材を備え、前記収納部材は取り外し可能に相互に結合可能な少なくとも２つのカバー部材からなるものであることを特徴とする請求項１乃至７の何れか一項に記載の連結具。
【請求項９】
前記カバー部材は、前記雄連結具が前記雌連結具に挿入される方向または当該方向と直交する方向において相互に結合可能であることを特徴とする請求項８に記載の連結具。
【請求項１０】
前記カバー部材は相互に回動可能であることを特徴とする請求項８に記載の連結具。
【請求項１１】
雄連結具を挿入可能な雌連結具と、
前記雌連結具の内部に位置決めされた状態で配置され、前記雄連結具を抜き取り可能に支持する案内部材と、
からなる連結具であって、
前記案内部材は弾性力を有しており、
前記案内部材は、
前記雄連結具が通過可能な孔が形成されているベース壁部と、
前記ベース壁部の一端から前記雄連結具の挿入方向に延びた後、反対方向に折り返されている第一壁部と、
前記ベース壁部の他端から前記挿入方向に延びた後、反対方向に折り返されている第二壁部と、
を備え、
前記第一壁部及び前記第二壁部は相互に離れる方向に前記弾性力を有しており、
前記第一壁部は、前記ベース壁部の前方において、前記第二壁部に向かって屈曲する第一補助壁部を有しており、
前記第二壁部は、前記ベース壁部の前方において、前記第一壁部に向かって屈曲する第二補助壁部を有しており、
前記第一補助壁部及び前記第二補助壁部の先端には、前記雄連結具をロック可能な切り欠きが形成されており、前記切り欠きは前記第一補助壁部及び前記第二補助壁部の各先端が当接したときに相互に協動して孔を形成し、前記雄連結具は前記孔を押し広げながら通過可能であることを特徴とする連結具。
【請求項１２】
前記案内部材は、
前記ベース壁部の一端から延び、前記第一壁部または前記第二壁部の周囲を回って前記ベース壁部の他端に到達する側壁をさらに備えていることを特徴とする請求項１１に記載の連結具。
【請求項１３】
前記側壁には連結環が形成されており、
前記雌連結具は、前記雄連結具が通過可能な孔と前記連結環に対応する開口部が形成されている収納部材を備えており、前記収納部材は伸縮自在の軟性材料からなるものであることを特徴とする請求項１２に記載の連結具。
【請求項１４】
雄連結具と、前記雄連結具を挿入可能な雌連結具と、からなる連結具の前記雌連結具の内部に位置決めされた状態で配置され、前記雄連結具を抜き取り可能に支持する案内部材において、
ベース壁部と、
前記ベース壁部から相互に対向した状態において同一方向に延びる一対の壁部と、
を備え、
前記一対の壁部の少なくとも何れか一方は弾性力を有しており、前記一方の壁部は他方の壁部に対して近接及び離間可能であり、
前記雌連結具は、前記雄連結具が前記雌連結具の内部に挿入された状態においては、前記弾性力の作用により、前記雌連結具が前記雄連結具に係合することによって前記雄連結具をロックし、前記雌連結具を介して前記壁部を近接又は離間させることにより、前記雌連結具は前記雄連結具との係合を解除するものであり、
前記一対の壁部は前記ベース壁部から前記雄連結具の挿入方向とは反対方向に延び、前記一対の壁部の少なくとも何れか一方の先端は、前記雌連結具の内部に挿入された前記雄連結具を支持可能または前記雄連結具に係合可能であるように屈曲している案内部材。
【請求項１５】
雄連結具と、前記雄連結具を挿入可能な雌連結具と、からなる連結具の前記雌連結具の内部に位置決めされた状態で配置され、前記雄連結具を抜き取り可能に支持する案内部材において、
ベース壁部と、
前記ベース壁部から相互に対向した状態において同一方向に延びる一対の壁部と、
を備え、
前記一対の壁部の少なくとも何れか一方は弾性力を有しており、前記一方の壁部は他方の壁部に対して近接及び離間可能であり、
前記雌連結具は、前記雄連結具が前記雌連結具の内部に挿入された状態においては、前記弾性力の作用により、前記雌連結具が前記雄連結具に係合することによって前記雄連結具をロックし、前記雌連結具を介して前記壁部を近接又は離間させることにより、前記雌連結具は前記雄連結具との係合を解除するものであり、
前記ベース壁部には前記雄連結具が通過可能な開口部が形成されている案内部材。
【請求項１６】
雄連結具と、前記雄連結具を挿入可能な雌連結具と、からなる連結具の前記雌連結具の内部に位置決めされた状態で配置され、前記雄連結具を抜き取り可能に支持する案内部材において、
ベース壁部と、
前記ベース壁部から相互に対向した状態において同一方向に延びる一対の壁部と、
前記雌連結具の内部に挿入された前記雄連結具に係合し、前記雄連結具を前記雌連結具の内部にロックするロック部材と、
を備え、
前記一対の壁部の少なくとも何れか一方は弾性力を有しており、前記一方の壁部は他方の壁部に対して近接及び離間可能であり、
前記雄連結具が前記雌連結具の内部に挿入された状態においては、前記弾性力の作用により、前記ロック部材が前記雄連結具に係合することによって前記雄連結具をロックし、前記雌連結具を介して前記案内部材の前記壁部を近接又は離間させることによって前記ロック部材と前記雄連結具との間の係合が解除されるものであり、
前記一対の壁部は前記ベース壁部から前記雄連結具の挿入方向とは反対方向に延び、前記一対の壁部の少なくとも何れか一方の先端は、前記雌連結具の内部に挿入された前記雄連結具を支持可能または前記雄連結具に係合可能であるように屈曲している案内部材。
【請求項１７】
雄連結具と、前記雄連結具を挿入可能な雌連結具と、からなる連結具の前記雌連結具の内部に位置決めされた状態で配置され、前記雄連結具を抜き取り可能に支持する案内部材において、
ベース壁部と、
前記ベース壁部から相互に対向した状態において同一方向に延びる一対の壁部と、
前記雌連結具の内部に挿入された前記雄連結具に係合し、前記雄連結具を前記雌連結具の内部にロックするロック部材と、
を備え、
前記一対の壁部の少なくとも何れか一方は弾性力を有しており、前記一方の壁部は他方の壁部に対して近接及び離間可能であり、
前記雄連結具が前記雌連結具の内部に挿入された状態においては、前記弾性力の作用により、前記ロック部材が前記雄連結具に係合することによって前記雄連結具をロックし、前記雌連結具を介して前記案内部材の前記壁部を近接又は離間させることによって前記ロック部材と前記雄連結具との間の係合が解除されるものであり、
前記ベース壁部には前記雄連結具が通過可能な開口部が形成されている案内部材。
【請求項１８】
前記開口部の周縁の少なくとも一部に沿って前記雄連結具の挿入方向またはその逆方向に延びる補強部材が形成されていることを特徴とする請求項１５または１７に記載の案内部材。
【請求項１９】
前記ベース壁部から前記一対の壁部と同一方向に延びる少なくとも一つの位置決め用壁部を備え、前記位置決め用壁部はその先端において前記雌連結具に着脱可能に係合するものであることを特徴とする請求項１４乃至１８の何れか一項に記載の案内部材。
【請求項２０】
前記位置決め用壁部は一枚の板を折り曲げた二層構造を有していることを特徴とする請求項１９に記載の案内部材。
【請求項２１】
雄連結具と、前記雄連結具を挿入可能な雌連結具と、からなる連結具であって、前記雌連結具は、前記雄連結具を内部に挿入した状態にロックすることが可能であるとともに、使用者による前記雌連結具に対する所定の動作に応じて、前記雄連結具と前記雌連結具との間のロックを解除し、前記雄連結具を前記雌連結具から抜き取ることを可能にする連結具において前記雌連結具の内部に配置される案内部材において、
前記案内部材は弾性力を有しており、
前記案内部材は、
前記雄連結具が通過可能な孔が形成されているベース壁部と、
前記ベース壁部の一端から前記雄連結具の挿入方向に延びた後、反対方向に折り返されている第一壁部と、
前記ベース壁部の他端から前記挿入方向に延びた後、反対方向に折り返されている第二壁部と、
を備え、
前記第一壁部及び前記第二壁部は相互に離れる方向に前記弾性力を有しており、
前記第一壁部は、前記ベース壁部の前方において、前記第二壁部に向かって屈曲する第一補助壁部を有しており、
前記第二壁部は、前記ベース壁部の前方において、前記第一壁部に向かって屈曲する第二補助壁部を有しており、
前記第一補助壁部及び前記第二補助壁部の先端には、前記雄連結具をロック可能な切り欠きが形成されており、前記切り欠きは前記第一補助壁部及び前記第二補助壁部の各先端が当接したときに相互に協動して孔を形成し、前記雄連結具は前記孔を押し広げながら通過可能であることを特徴とする案内部材。
【発明の詳細な説明】
【技術分野】
【０００１】
本発明は、相互に取り外し自在に連結する連結具及び連結具の一構成要素として使用される案内部材に関する。例えば、本発明に係る連結具は、ライン状の装身具（例えば、ネックレス）の両端を相互に取り外し自在に装身具の両端の各々に連結する連結具として用いることができる。
【背景技術】
【０００２】
装身具用連結具の一例として特開２０００−３１６６１６号公報に記載されたものがある。【０００３】
図６９は同公報に記載された装身具用連結具４０の斜視図、図７０は装身具用連結具４０の分解斜視図、図７１は装身具用連結具４０の縦断面図である。【０００４】
図６９に示すように、装身具用連結具４０は、棒状のオス金具４２と、中空の箱型部材からなるメス金具５０とから構成されている。【０００５】
オス金具４２はメス金具５０の内部に挿入することが可能であり、さらに、メス金具５０から取り出すことが可能である。すなわち、オス金具４２とメス金具５０とは相互の連結及び連結の解除が可能である。【０００６】
ネックレスやチェーンなどのライン状の装身具の一端にオス金具４２が取り付けられ、他端にはメス金具５０が取り付けられる。オス金具４２とメス金具５０とを連結することにより、ライン状の装身具がリング状となり、例えば、首に掛けることが可能になる。首から取り外すときには、オス金具４２とメス金具５０との連結を解除することにより、リング状の装身具がライン状に戻り、容易に取り外すことができる。【０００７】
オス金具４２は先端に先細の頭部４５を有しており、後端付近にはリング状の溝４７が形成されている。さらに、オス金具４２の後端には接続用リング４９が取り付けられており、この接続用リング４９にライン状の装身具の一端が連結される。【０００８】
図６９及び図７０に示すように、メス金具５０は、下方が開口している箱型の蓋体５１と、上方が開口し、蓋体５１の内側に嵌入可能な大きさを有する底体６０と、から構成されている。【０００９】
蓋体５１の壁部（オス金具４２が挿入される側の壁部）には、オス金具４２が通過可能な挿入口５７が形成されている。【００１０】
また、図７０に示すように、蓋体５１の内側底面上には筒状の２個の案内部５４が形成されている。案内部５４は挿入口５７と同様の内径を有しており、挿入口５７を介してメス金具５０に挿入されたオス金具４２は２個の案内部５４により支持される。【００１１】
蓋体５１の相互に対向する一対の側壁５３には貫通孔５５が形成されており、この貫通孔５５に支軸５８が挿入される。【００１２】
蓋体５１の挿入口５７とは反対側の端部には接続用リング５９が取り付けられており、この接続用リング５９にライン状の装身具の他端が連結される。【００１３】
図７０に示すように、底体６０の壁部の上端には半円形状の切り欠きからなる係止凹部６１が形成されている。係止凹部６１はオス金具４２の溝４７に係合可能な大きさを有している。【００１４】
底体６０の外側底面には複数の凹凸からなる滑り止め６２が形成されている。また、底体６０の相互に対向する一対の側壁６３には貫通孔６５が形成されている。【００１５】
支軸５８は、蓋体５１の貫通孔５５、底体６０の貫通孔６５及びコイルばね６７の孔（参照符号なし）に通されることにより、蓋体５１と底体６０とを支軸５８の回りに回動可能に連結するとともに、コイルばね６７を蓋体５１及び底体６０の内部に固定する。【００１６】
すなわち、この状態においては、蓋体５１と底体６０とは支軸５８を中心として相互に回動可能もしくは開閉可能であり、さらに、コイルばね６７の両端がそれぞれ蓋体５１と底体６０とを内面側から押圧するため、蓋体５１と底体６０はコイルばね６７の付勢力により相互に閉じる方向（図６９または図７１に示す状態）に付勢される。【００１７】
装身具用連結具４０は以下のようにして使用される。【００１８】
挿入口５７を介してオス金具４２をメス金具５０の内部に挿入すると、オス金具４２は係止凹部６１を介して底体６０を下方に押し下げながら、メス金具５０の内部に向かって進行する。【００１９】
オス金具４２をさらに挿入すると、オス金具４２は案内部５４にガイドされつつ、進行する。オス金具４２の溝４７が係止凹部６１に到達した時点において、コイルばね６７の付勢力により、底体６０が押し上げられ、係止凹部６１が溝部４７に嵌合し、オス金具４２とメス金具５０とは相互に連結された状態となる。【００２０】
オス金具４２をメス金具５０から取り外すときには、底体６０の滑り止め６２を押圧する。これにより、底体６０が支軸５８を中心として蓋体５１に対して回動し、係止凹部６１が下降し、オス金具４２の溝４７との係合が解除される。この後、オス金具４２をメス金具５０から引き抜くことが可能になる。【００２１】
図７２は上記公報に記載された他の実施形態に係る装身具用連結具４１の斜視図である。【００２２】
図６９乃至図７１に示した装身具用連結具４０においては、蓋体５１の内面側に案内部５４が形成されているのに対して、本実施形態に係る装身具用連結具４１においては、蓋体５１には案内部５４は形成されておらず、その代わりに、蓋体５１とは別体の部品である案内片７０を用いる。【００２３】
案内片７０は、相互に対向する一対の立壁７１を有しており、立壁７１の各々には貫通孔７２が形成されている。支軸５８が貫通孔７２に通されることにより、案内片７０はコイルばね６７とともに底体６０の内部に装填される。【００２４】
オス金具４２の装着及び取り外しの仕方は装身具用連結具４０の場合と同様である。
【先行技術文献】
【特許文献】
【００２５】
【特許文献１】特開２０００−３１６６１６号公報
【発明の開示】
【発明が解決しようとする課題】
【００２６】
図６９乃至図７１に示すように、装身具用連結具４０及び４１の組み立てには支軸５８が使用される。この支軸５８は長さ約５乃至１０ｍｍ、直径約０．５乃至１．０ｍｍのピンからなる。このように極めて小さな支軸５８を用いて装身具用連結具４０及び４１を組み立てるためには、かなりの熟練度、時間及び労力を必要とする。【００２７】
さらに、コイルばね６７も長さ、高さ及び幅ともに数ｍｍ単位の大きさのものであり、コイルばね６７が形成する孔も支軸５８がかろうじて通過し得る程度の大きさであるため、コイルばね６７を蓋体５１と底体６０の内部に組み込み、さらに、コイルばね６７が形成している孔に支軸５８を挿入することはかなりの熟練度、時間及び労力を必要とする。【００２８】
すなわち、従来の装身具用連結具４０及び４１は支軸５８及びコイルばね６７のようなサイズの小さい部品を用いて組み立てられるため、かなりの熟練度を有する作業者が組み立てるにしても、かなりの時間を組み立てに必要とするものであった。【００２９】
本発明はこのような従来の装身具用連結具４０及び４１における問題点に鑑みてなされたものであり、部品の数、特に、支軸５８やコイルばね６７のようなサイズの小さい部品の数を減らし、全体の組み立て時間を減少させることができる連結具、さらには、当該連結具に使用される案内部材を提供することを目的とする。
【課題を解決するための手段】
【００３０】
上記の目的を達成するため、本発明は、雄連結具を挿入可能な雌連結具と、前記雌連結具の内部に位置決めされた状態で配置され、前記雄連結具を抜き取り可能に支持する案内部材と、からなる連結具であって、前記雌連結具及び前記案内部材の少なくとも何れか一方は、前記雌連結具の内部に挿入された前記雄連結具に係合することにより、前記雄連結具を前記雌連結具の内部に挿入した状態にロックするロック部材を備えており、前記案内部材は、ベース壁部と、前記ベース壁部から相互に対向した状態において同一方向に延びる少なくとも一対の壁部と、を備え、前記一対の壁部の少なくとも何れか一方は弾性力を有しており、前記一方の壁部は他方の壁部に対して近接及び離間が可能であり、前記ロック部材は、前記雄連結具が前記雌連結具の内部に挿入された状態においては、前記弾性力の作用によって前記雄連結具に係合し、前記雌連結具を介して前記案内部材の前記壁部を近接又は離間させることによって前記ロック部材は前記雄連結具との係合を解除するものであり、前記一対の壁部は前記ベース壁部から前記雄連結具の挿入方向とは反対方向に延び、前記一対の壁部の少なくとも何れか一方の先端は、前記雌連結具の内部に挿入された前記雄連結具を支持可能または前記雄連結具に係合可能であるように屈曲している連結具を提供する。
さらに、本発明は、雄連結具を挿入可能な雌連結具と、前記雌連結具の内部に位置決めされた状態で配置され、前記雄連結具を抜き取り可能に支持する案内部材と、からなる連結具であって、前記雌連結具及び前記案内部材の少なくとも何れか一方は、前記雌連結具の内部に挿入された前記雄連結具に係合することにより、前記雄連結具を前記雌連結具の内部に挿入した状態にロックするロック部材を備えており、前記案内部材は、ベース壁部と、前記ベース壁部から相互に対向した状態において同一方向に延びる少なくとも一対の壁部と、を備え、前記一対の壁部の少なくとも何れか一方は弾性力を有しており、前記一方の壁部は他方の壁部に対して近接及び離間が可能であり、前記ロック部材は、前記雄連結具が前記雌連結具の内部に挿入された状態においては、前記弾性力の作用によって前記雄連結具に係合し、前記雌連結具を介して前記案内部材の前記壁部を近接又は離間させることによって前記ロック部材は前記雄連結具との係合を解除するものであり、前記ベース壁部には前記雄連結具が通過可能な開口部が形成されている連結具を提供する。
【００３３】
前記開口部の周縁の少なくとも一部に沿って前記雄連結具の挿入方向またはその逆方向に延びる補強部材が形成されていること好ましい（例えば、図４−５参照）。【００３４】
前記ベース壁部から前記一対の壁部と同一方向に延びる少なくとも一つの位置決め用壁部を備え、前記位置決め用壁部はその先端において前記雌連結具に着脱可能に係合するものであること好ましい（例えば、図１参照）。【００３５】
前記位置決め用壁部は一枚の板を折り曲げた二層構造を有していること好ましい（例えば、図４−５参照）。【００３６】
前記ロック部材は、前記一対の壁部の少なくとも何れか一方の先端と基端の間において形成され、前記雄連結具に係合可能な凸状部からなるものであること好ましい（例えば、図４９参照）。【００３７】
前記ロック部材は、前記一対の壁部の少なくとも何れか一方の先端から他方の壁部に向かって延びる延長片から形成されるものであること好ましい（例えば、図３９参照）。【００３８】
前記雌連結具は前記案内部材を内部に収容可能な収納部材を備え、前記収納部材は取り外し可能に相互に結合可能な少なくとも２つのカバー部材からなるものであること好ましい（例えば、図１参照）。【００３９】
前記カバー部材（１０１０、１０２０）は、前記雄連結具が前記雌連結具に挿入される方向または当該方向と直交する方向において相互に結合可能であること好ましい（例えば、図４３、図３４参照）。【００４０】
前記カバー部材（１３０、１４０）は相互に回動可能であること好ましい（例えば、図１参照）。【００４１】
さらに、本発明は、雄連結具を挿入可能な雌連結具と、前記雌連結具の内部に位置決めされた状態で配置され、前記雄連結具を抜き取り可能に支持する案内部材と、からなる連結具であって、前記案内部材（１５３）は弾性力を有しており、前記案内部材（１５３）は、前記雄連結具（１１０）が通過可能な孔（１５３Ｂ）が形成されているベース壁部８１５３Ａ）と、前記ベース壁部の一端から前記雄連結具の挿入方向に延びた後、反対方向に折り返されている第一壁部（１５３Ｄ，１５３Ｅ）と、前記ベース壁部の他端から前記挿入方向に延びた後、反対方向に折り返されている第二壁部（１５３Ｈ，１５３Ｉ）と、を備え、前記第一壁部及び前記第二壁部は相互に離れる方向に前記弾性力を有しており、前記第一壁部は、前記ベース壁部の前方において、前記第二壁部に向かって屈曲する第一補助壁部（１５３Ｆ）を有しており、前記第二壁部は、前記ベース壁部の前方において、前記第一壁部に向かって屈曲する第二補助壁部（１５３Ｊ）を有しており、前記第一補助壁部及び前記第二補助壁部の先端には、前記雄連結具をロック可能な切り欠き（１５３Ｇ，１５３Ｋ）が形成されており、前記切り欠きは前記第一補助壁部及び前記第二補助壁部の各先端が当接したときに相互に協動して孔を形成し、前記雄連結具は前記孔を押し広げながら通過可能であることを特徴とする連結具を提供する。
【００４２】
上記の連結具においては、前記案内部材は、前記ベース壁部の一端から延び、前記第一壁部または前記第二壁部の周囲を回って前記ベース壁部の他端に到達する側壁（１５３Ｍ）をさらに備えていることが好ましい（例えば、図２４参照）。【００４３】
上記の連結具においては、前記側壁には連結環（１５３Ｐ）が形成されており、前記雌連結具は、前記雄連結具が通過可能な孔（１３１）と前記連結環に対応する開口部（１３６）が形成されている収納部材（１３５）を備えており、前記収納部材は伸縮自在の軟性材料からなるものであること好ましい（例えば、図２６参照）。【００４４】
さらに、本発明は、雄連結具と、前記雄連結具を挿入可能な雌連結具と、からなる連結具の前記雌連結具の内部に位置決めされた状態で配置され、前記雄連結具を抜き取り可能に支持する案内部材において、ベース壁部と、前記ベース壁部から相互に対向した状態において同一方向に延びる一対の壁部と、を備え、前記一対の壁部の少なくとも何れか一方は弾性力を有しており、前記一方の壁部は他方の壁部に対して近接及び離間可能であり、
前記雌連結具は、前記雄連結具が前記雌連結具の内部に挿入された状態においては、前記弾性力の作用により、前記雌連結具が前記雄連結具に係合することによって前記雄連結具をロックし、前記雌連結具を介して前記壁部を近接又は離間させることにより、前記雌連結具は前記雄連結具との係合を解除するものであり、前記一対の壁部は前記ベース壁部から前記雄連結具の挿入方向とは反対方向に延び、前記一対の壁部の少なくとも何れか一方の先端は、前記雌連結具の内部に挿入された前記雄連結具を支持可能または前記雄連結具に係合可能であるように屈曲している案内部材を提供する（例えば、図１参照）。
さらに、本発明は、雄連結具と、前記雄連結具を挿入可能な雌連結具と、からなる連結具の前記雌連結具の内部に位置決めされた状態で配置され、前記雄連結具を抜き取り可能に支持する案内部材において、ベース壁部と、前記ベース壁部から相互に対向した状態において同一方向に延びる一対の壁部と、を備え、前記一対の壁部の少なくとも何れか一方は弾性力を有しており、前記一方の壁部は他方の壁部に対して近接及び離間可能であり、前記雌連結具は、前記雄連結具が前記雌連結具の内部に挿入された状態においては、前記弾性力の作用により、前記雌連結具が前記雄連結具に係合することによって前記雄連結具をロックし、前記雌連結具を介して前記壁部を近接又は離間させることにより、前記雌連結具は前記雄連結具との係合を解除するものであり、前記ベース壁部には前記雄連結具が通過可能な開口部が形成されている案内部材を提供する。
【００４５】
さらに、本発明は、雄連結具と、前記雄連結具を挿入可能な雌連結具と、からなる連結具の前記雌連結具の内部に位置決めされた状態で配置され、前記雄連結具を抜き取り可能に支持する案内部材において、ベース壁部と、前記ベース壁部から相互に対向した状態において同一方向に延びる一対の壁部と、前記雌連結具の内部に挿入された前記雄連結具に係合し、前記雄連結具を前記雌連結具の内部にロックするロック部材と、を備え、前記一対の壁部の少なくとも何れか一方は弾性力を有しており、前記一方の壁部は他方の壁部に対して近接及び離間可能であり、前記雄連結具が前記雌連結具の内部に挿入された状態においては、前記弾性力の作用により、前記ロック部材が前記雄連結具に係合することによって前記雄連結具をロックし、前記雌連結具を介して前記案内部材の前記壁部を近接又は離間させることによって前記ロック部材と前記雄連結具との間の係合が解除されるものであり、前記一対の壁部は前記ベース壁部から前記雄連結具の挿入方向とは反対方向に延び、前記一対の壁部の少なくとも何れか一方の先端は、前記雌連結具の内部に挿入された前記雄連結具を支持可能または前記雄連結具に係合可能であるように屈曲している案内部材を提供する（例えば、図３９参照）。
さらに、本発明は、雄連結具と、前記雄連結具を挿入可能な雌連結具と、からなる連結具の前記雌連結具の内部に位置決めされた状態で配置され、前記雄連結具を抜き取り可能に支持する案内部材において、ベース壁部と、前記ベース壁部から相互に対向した状態において同一方向に延びる一対の壁部と、前記雌連結具の内部に挿入された前記雄連結具に係合し、前記雄連結具を前記雌連結具の内部にロックするロック部材と、を備え、前記一対の壁部の少なくとも何れか一方は弾性力を有しており、前記一方の壁部は他方の壁部に対して近接及び離間可能であり、前記雄連結具が前記雌連結具の内部に挿入された状態においては、前記弾性力の作用により、前記ロック部材が前記雄連結具に係合することによって前記雄連結具をロックし、前記雌連結具を介して前記案内部材の前記壁部を近接又は離間させることによって前記ロック部材と前記雄連結具との間の係合が解除されるものであり、前記ベース壁部には前記雄連結具が通過可能な開口部が形成されている案内部材を提供する。
【００４６】
上記の案内部材においては、 前記開口部の周縁の少なくとも一部に沿って前記雄連結具の挿入方向またはその逆方向に延びる補強部材が形成されていることが好ましい。
【００４７】
上記の案内部材は、前記ベース壁部から前記一対の壁部と同一方向に延びる少なくとも一つの位置決め用壁部を備え、前記位置決め用壁部はその先端において前記雌連結具に着脱可能に係合するものであることが好ましい。【００４８】
前記位置決め用壁部は一枚の板を折り曲げた二層構造を有していることが好ましい（例えば、図４−５参照）。【００４９】
本発明は、さらに、雄連結具と、前記雄連結具を挿入可能な雌連結具と、からなる連結具であって、前記雌連結具は、前記雄連結具を内部に挿入した状態にロックすることが可能であるとともに、使用者による前記雌連結具に対する所定の動作に応じて、前記雄連結具と前記雌連結具との間のロックを解除し、前記雄連結具を前記雌連結具から抜き取ることを可能にする連結具において前記雌連結具の内部に配置される案内部材において、前記案内部材（１５３）は弾性力を有しており、前記案内部材（１５３）は、前記雄連結具（１１０）が通過可能な孔（１５３Ｂ）が形成されているベース壁部（１５３Ａ）と、前記ベース壁部の一端から前記雄連結具の挿入方向に延びた後、反対方向に折り返されている第一壁部（１５３Ｄ，１５３Ｅ）と、前記ベース壁部の他端から前記挿入方向に延びた後、反対方向に折り返されている第二壁部（１５３Ｈ，１５３Ｉ）と、を備え、前記第一壁部及び前記第二壁部は相互に離れる方向に前記弾性力を有しており、前記第一壁部は、前記ベース壁部の前方において、前記第二壁部に向かって屈曲する第一補助壁部（１５３Ｆ）を有しており、前記第二壁部は、前記ベース壁部の前方において、前記第一壁部に向かって屈曲する第二補助壁部（１５３Ｊ）を有しており、前記第一補助壁部及び前記第二補助壁部の先端には、前記雄連結具をロック可能な切り欠き（１５３Ｇ，１５３Ｋ）が形成されており、前記切り欠きは前記第一補助壁部及び前記第二補助壁部の各先端が当接したときに相互に協動して孔を形成し、前記雄連結具は前記孔を押し広げながら通過可能であることを特徴とする案内部材を提供する（例えば、図２４参照）。
【００５０】
なお、括弧内の番号及び図番は、単に、後述する実施形態との対応関係を明確にするために付したものであり、本発明の技術的範囲を何ら限定するものではない。
【発明の効果】
【００５１】
本発明に係る連結具によれば、以下の効果を得ることができる。【００５２】
第一に、連結具を構成する部品数を減らすことが可能である。【００５３】
具体的には、図６９乃至図７１に示した従来の連結具４０は案内部５４、支軸５８及びコイルばね６７を必要としていたのに対して、さらには、図７２に示した従来の連結具４１は案内片７０、支軸５８及びコイルばね６７を必要としていたのに対して、本発明に係る連結具は、それらの３部品に代えて、案内部材を１個用いるだけである。【００５４】
このように、本発明に係る連結具は、従来の連結具４０及び４１と比較して、部品数を２減らすことが可能である。【００５５】
第二に、部品数を減らすことができることにより、特に、支軸５８及びコイルばね６７が不要になったことにより、以下の副次的効果を得ることができる。【００５６】
第一の副次的効果は、連結具の組み立てに要する作業時間を短縮することができることである。【００５７】
前述のように、支軸５８やコイルばね６７は極めて小さな部品であるため、これらの部品を使って連結具を組み立てるためには、熟練度の高い作業者であっても、かなりの時間を必要としていた。これに対して、本発明に係る連結具は、支軸５８やコイルばね６７を用いることなく、組み立てることが可能であるため、連結具の組み立て時間を大幅に短縮することができる。【００５８】
また、作業時間の短縮化は加工コストの低減にもつながる。【００５９】
第二の副次的効果は、連結具の軽量化を図ることができることである。【００６０】
連結具の重量を減らすことにより、連結具を用いた装身具の重量バランスを向上させることができる。【００６１】
例えば、ネックレスに連結具を連結させた場合、連結具の重量が大きいと、連結具が下方に沈みがちとなるため、連結具が使用者の前面側にずり落ちてくる結果となる。連結具を軽量化することにより、このような連結具のずり落ちを防止することが可能になる。【００６２】
第三の副次的効果は、連結具の小型化を図ることができることである。従来の連結具においては、支軸５８を蓋体５１の貫通孔５５、底体６０の貫通孔６５及びコイルばね６７の孔に通す、という作業が可能な程度の大きさをどうしても必要としていた。しかし、部品数が減少し、組み立てが容易になったことから、従来に比して小さいサイズの連結具を提供することが可能となった。【００６３】
第四の副次的効果は、部品の不良率を低下させることができることである。【００６４】
部品数が多くなれば、それに比例して、部品の不良率も増大する。部品数を減らすことにより、部品の不良率、ひいては、最終製品としての連結具の不良率をも低下させることができる。
【図面の簡単な説明】
【００６５】
【図１】本発明の第一の実施形態に係る連結具の分解斜視図である。
【図２】本発明の第一の実施形態に係る連結具において、雄連結具を雌連結具の内部に挿入した状態を示す縦断面図である。
【図３】本発明の第一の実施形態に係る連結具において、雄連結具を雌連結具から取り外す場合の状態を示す縦断面図である。
【図４】本発明の第一の実施形態に係る連結具における案内部材の変形例の斜視図である。
【図５】本発明の第一の実施形態に係る連結具における案内部材の変形例の斜視図である。
【図６】図５に示した案内部材を用いた連結具の一例の分解斜視図である。
【図７】本発明の第二の実施形態に係る連結具の分解斜視図である。
【図８】本発明の第二の実施形態に係る連結具において、雄連結具を雌連結具の内部に挿入した状態を示す縦断面図である。
【図９】本発明の第二の実施形態に係る連結具において、雄連結具を雌連結具から取り外す場合の状態を示す縦断面図である。
【図１０】本発明の第二の実施形態に係る連結具における案内部材の変形例の斜視図である。
【図１１】図１０に示した案内部材を用いた雌連結具の内部に雄連結具を挿入した状態を示す縦断面図である。
【図１２】本発明の第二の実施形態に係る連結具における案内部材の第二の変形例の斜視図である。
【図１３】本発明の第二の実施形態の第一の変形例に係る連結具の分解斜視図である。
【図１４】本発明の第二の実施形態の第一の変形例に係る連結具において、雄連結具を雌連結具の内部に挿入した状態を示す縦断面図である。
【図１５】本発明の第二の実施形態の第一の変形例に係る連結具において、雄連結具を雌連結具から取り外す場合の状態を示す縦断面図である。
【図１６】本発明の第二の実施形態の第二の変形例に係る連結具の分解斜視図である。
【図１７】本発明の第二の実施形態の第三の変形例に係る連結具の分解斜視図である。
【図１８】本発明の第二の実施形態の第三の変形例に係る連結具において、雄連結具を雌連結具の内部に挿入した状態を示す縦断面図である。
【図１９】本発明の第二の実施形態の第三の変形例に係る連結具において、雄連結具を雌連結具から取り外す場合の状態を示す縦断面図である。
【図２０】本発明の第二の実施形態の第三の変形例に係る連結具の分解斜視図である。
【図２１】本発明の第三の実施形態に係る連結具の分解斜視図である。
【図２２】本発明の第三の実施形態に係る連結具において、雄連結具を雌連結具の内部に挿入した状態を示す縦断面図である。
【図２３】本発明の第三の実施形態に係る連結具において、雄連結具を雌連結具から取り外す場合の状態を示す縦断面図である。
【図２４】本発明の第四の実施形態に係る連結具の分解斜視図である。
【図２５】本発明の第四の実施形態に係る連結具における案内部材の一部を除去した状態における案内部材の分解斜視図である。
【図２６】本発明の第四の実施形態に係る連結具において、雄連結具を案内部材の内部に収納させた状態における平面図（上方から見た図）である。
【図２７】本発明の第四の実施形態に係る連結具において、雄連結具を案内部材の内部に収納させた状態における側面図（水平方向から見た図）である。
【図２８】本発明の第四の実施形態に係る連結具において、雄連結具を案内部材の内部から抜き出す状態における側面図（水平方向から見た図）である。
【図２９】本発明の第五の実施形態に係る連結具の分解斜視図である。
【図３０】本発明の第五の実施形態に係る連結具の縦断面図である。
【図３１】本発明の第五の実施形態の変形例に係る連結具の分解斜視図である。
【図３２】本発明の第五の実施形態の変形例に係る連結具において、雄連結具を案内部材の内部に挿入した状態を示す縦断面図である。
【図３３】本発明の第五の実施形態の変形例に係る連結具において、雄連結具を雌連結具から取り外す場合の状態を示す縦断面図である。
【図３４】本発明の第六の実施形態に係る連結具の分解斜視図である。
【図３５】本発明の第六の実施形態に係る連結具において、雄連結具を雌連結具の内部に挿入した状態を示す縦断面図である。
【図３６】本発明の第六の実施形態に係る連結具において、雄連結具を雌連結具から取り外す場合の状態を示す縦断面図である。
【図３７】本発明の第七の実施形態に係る連結具の分解斜視図である。
【図３８】本発明の第七の実施形態の変形例に係る連結具において、雄連結具を案内部材の内部に挿入した状態を示す縦断面図である。
【図３９】本発明の第八の実施形態に係る連結具の分解斜視図である。
【図４０】本発明の第八の実施形態の変形例に係る連結具において、雄連結具を案内部材の内部に挿入した状態を示す縦断面図である。
【図４１】本発明の第九の実施形態に係る連結具の分解斜視図である。
【図４２】本発明の第九の実施形態に係る連結具において、雄連結具を雌連結具の内部に挿入した状態を示す縦断面図である。
【図４３】本発明の第十の実施形態に係る連結具の分解斜視図である。
【図４４】本発明の第十の実施形態に係る連結具において、雄連結具を雌連結具の内部に挿入した状態を示す縦断面図である。
【図４５】本発明の第十一の実施形態に係る連結具の分解斜視図である。
【図４６】本発明の第十一の実施形態に係る連結具において、雄連結具を雌連結具の内部に挿入した状態を示す縦断面図である。
【図４７】本発明の第十一の実施形態に係る連結具において、雄連結具を雌連結具の内部から取り外す途中の状態を示す縦断面図である。
【図４８】本発明の第十一の実施形態に係る連結具において、雄連結具を雌連結具から取り外す直前の状態を示す縦断面図である。
【図４９】本発明の第十二の実施形態に係る連結具の分解斜視図である。
【図５０】本発明の第十二の実施形態に係る連結具において、雄連結具を雌連結具の内部に挿入した状態を示す縦断面図である。
【図５１】本発明の第十三の実施形態に係る連結具の分解斜視図である。
【図５２】本発明の第十三の実施形態に係る連結具において、雄連結具を雌連結具の内部に挿入した状態を示す縦断面図である。
【図５３】本発明の第十三の実施形態に係る連結具において、雄連結具を雌連結具の内部から取り外す途中の状態を示す縦断面図である。
【図５４】本発明の第十三の実施形態に係る連結具において、雄連結具を雌連結具から取り外す直前の状態を示す縦断面図である。
【図５５】本発明の第十三の実施形態の変形例に係る連結具の分解斜視図である。
【図５６】本発明の第十四の実施形態に係る連結具の分解斜視図である。
【図５７】本発明の第十四の実施形態に係る連結具において、雄連結具を雌連結具の内部に挿入した状態を示す縦断面図である。
【図５８】本発明の第十四の実施形態に係る連結具において、雄連結具を雌連結具の内部から取り外す途中の状態を示す縦断面図である。
【図５９】本発明の第十五の実施形態に係る連結具の分解斜視図である。
【図６０】雄連結具を装着していない場合の本発明の第十五の実施形態に係る連結具の正面図である。
【図６１】雄連結具を装着した場合の本発明の第十五の実施形態に係る連結具の縦断面図である。
【図６２】本発明の第十五の実施形態の第一変形例に係る連結具の分解斜視図である。
【図６３】雄連結具を装着していない場合の本発明の第十五の実施形態の第一変形例に係る連結具の正面図である。
【図６４】雄連結具を装着した場合の本発明の第十五の実施形態の第一変形例に係る連結具の縦断面図である。
【図６５】本発明の第十五の実施形態の第二変形例に係る連結具の分解斜視図である。
【図６６】雄連結具を装着していない場合の本発明の第十五の実施形態の第二変形例に係る連結具の正面図である。
【図６７】雄連結具を装着した場合の本発明の第十五の実施形態の第二変形例に係る連結具の縦断面図である。
【図６８】雄連結具の変形例の斜視図である。
【図６９】従来の装身具用連結具の斜視図である。
【図７０】図６９に示した従来の装身具用連結具の分解斜視図である。
【図７１】図６９に示した従来の装身具用連結具の縦断面図である。
【図７２】従来の他の装身具用連結具の斜視図である。
【発明を実施するための最良の形態】
【００６６】
（第一の実施形態）
図１は本発明の第一の実施形態に係る連結具１００の分解斜視図である。【００６７】
図１に示すように、本実施形態に係る連結具１００は一例として装身具用の連結具として形成されており（以下の実施形態及び変形例においても同様である）、棒状の雄連結具１１０と、雄連結具１１０を抜き取り可能に挿入することができる雌連結具１２０と、から構成されている。【００６８】
雄連結具１１０にはリング状の溝１１１が形成されている。また、雄連結具１１０の一端（基端）には、ライン状の装身具（例えば、ネックレス）の一端を連結する連結環１１２が形成されており、雄連結具１１０の他端（先端）は先細の形状になっている。【００６９】
雌連結具１２０は、下方が開口しているドーム状の第一ボディ部材１３０と、上方が開口しているドーム状の第二ボディ部材１４０と、案内部材１５０と、から構成されている。【００７０】
第一ボディ部材１３０の長さ方向の一端側（図１の左端）には雄連結具１１０が通過可能な貫通孔１３１が形成されており、他端側（図１の右端）には連結環１３２が形成されている。連結環１３２にはライン状の装身具の他端が連結される。【００７１】
さらに、第一ボディ部材１３０の長さ方向と直交する方向における両端には一対の貫通孔１３４が形成されている。【００７２】
第二ボディ部材１４０の長さ方向の一端側には直立壁１４２が形成されており、他端側には、第一ボディ部材１３０と係合するための円弧状の突出部１４１が形成されている。直立壁１４２は雄連結具１１０のリング状溝１１１に挿入可能な形状及び大きさを有している。【００７３】
第二ボディ部材１４０の長さ方向と直交する方向における両端には一対の突出壁部１４３が形成されており、各突出壁部１４３には貫通孔１４４が形成されている。【００７４】
後述するように、案内部材１５０の第三壁部１６４の突出部１６４Ｓ及び第四壁部１６５の突出部１６５Ｓを第一ボディ部材１３０及び第二ボディ部材１４０の内部から第一ボディ部材１３０の貫通孔１３４及び第二ボディ部材１４０の貫通孔１４４に挿入することにより、第一ボディ部材１３０と第二ボディ部材１４０とは、貫通孔１３４、１４４を中心として、相互に回動可能に連結される。【００７５】
第一ボディ部材１３０と第二ボディ部材１４０とを上記のように連結させることにより、第一ボディ部材１３０及び第二ボディ部材１４０の内部には中空の空間１６０が形成される。【００７６】
案内部材１５０はこのようにして形成される空間１６０の内部に配置され、以下に述べるように、雄連結具１１０が空間１６０の内部に挿入されたときに、雄連結具１１０を支持する機能を奏する。【００７７】
図１に示すように、案内部材１５０は、雄連結具１１０を挿入可能な孔１６６が形成されているほぼ正方形のベース壁部１６１と、ベース壁部１６１の上辺から雄連結具１１０の挿入方向Ａに延びるほぼ長方形の第一壁部１６２と、ベース壁部１６１の下辺から第一壁部１６２と同一方向Ａに延びる第二壁部１６３と、ベース壁部１６１の右側辺から雄連結具１１０の挿入方向Ａに延びる第三壁部１６４と、ベース壁部１６１の左側辺から雄連結具１１０の挿入方向Ａに延びる第四壁部１６５（図１においては一部のみ図示）と、から構成されている。【００７８】
第一壁部１６２と第二壁部１６３は同一形状をなしており、第三壁部１６４と第四壁部１６５は同一形状をなしている。【００７９】
第三壁部１６４は、第一壁部１６２及び第二壁部１６３と同一方向Ａに延びる第一部分１６４Ｘと、第一部分１６４Ｘの先端から外側に直角に延びる第二部分１６４Ｙと、から構成されている。【００８０】
同様に、第四壁部１６５も、第一壁部１６２及び第二壁部１６３と同一方向Ａに延びる第一部分１６５Ｘ（図示せず）と、第一部分１６５Ｘの先端から外側に直角に延びる第二部分１６５Ｙ（図示せず）と、から構成されている。【００８１】
第三壁部１６４の第二部分１６４Ｙの先端の突出部１６４Ｓ（図１においては、突出部１６４Ｓのみ図示）及び第四壁部１６５の第二部分１６５Ｙの先端の突出部１６５Ｓはベース壁部１６１の右側辺及び左側辺よりも外側に突出した位置にあり、第一ボディ部材１３０の貫通孔１３４及び第二ボディ部材１４０の貫通孔１４４に挿入可能な形状を有している。【００８２】
第一壁部１６２及び第二壁部１６３はベース壁部１６１と同一幅を有しているのに対して、第三壁部１６４及び第四壁部１６５はベース壁部１６１の高さよりも小さい幅を有している。すなわち、図１に示すように、第三壁部１６４及び第四壁部１６５はベース壁部１６１の高さ方向のほぼ中央に形成されており、第一壁部１６２及び第二壁部１６３との間には隙間が空いている。【００８３】
案内部材１５０を空間１６０の内部に配置する場合、第三壁部１６４及び第四壁部１６５の各突出部１６４Ｓ及び１６５Ｓが第二ボディ部材１４０の貫通孔１４４及び第一ボディ部材１３０の貫通孔１３４に内側から嵌合する。これにより、空間１６０の内部における案内部材１５０の位置決めがなされる。【００８４】
すなわち、第三壁部１６４及び第四壁部１６５は、空間１６０の内部における案内部材１５０の位置決めを行う位置決め手段を構成している。【００８５】
案内部材１５０、すなわち、ベース壁部１６１、第一壁部１６２、第二壁部１６３、第三壁部１６４及び第四壁部１６５は一体的に形成されている。例えば、案内部材１５０は一枚の板からプレス成形加工によりつくることができる。【００８６】
案内部材１５０は弾性力を有する材料でつくられている。このため、第一壁部１６２及び第二壁部１６３はベース壁部１６１を基端としてバネとして機能する。同様に、第三壁部１６４及び第四壁部１６５はベース壁部１６１を基端としてバネとして機能する。【００８７】
図２は、本実施形態に係る連結具１００において、雄連結具１１０を雌連結具１２０の内部に挿入した状態を示す縦断面図である。【００８８】
図２に示すように、案内部材１５０を雌連結具１２０の内部に配置した状態においては、第一壁部１６２はそれらの先端及び基端において第一ボディ部材１３０の内壁に接しており、第二壁部１６３はそれらの先端及び基端において第二ボディ部材１４０の内壁に接した状態になっている。【００８９】
前述のように、案内部材１５０は弾性力を有する材料でつくられているため、第一壁部１６２及び第二壁部１６３はバネとして機能する。【００９０】
図２に示すように、第一壁部１６２の先端は第一ボディ部材１３０の内壁に接しているため、第一壁部１６２はベース壁部１６１を基点として第一ボディ部材１３０を内側から外側に向かって（すなわち、上方に）押圧する力を第一ボディ部材１３０に対して作用させている。すなわち、第一ボディ部材１３０は貫通孔１３４を中心として反時計回りの方向に回動するような力を受けていることになる。【００９１】
同様に、第二壁部１６３の先端は第二ボディ部材１４０の内壁に接しているため、第二壁部１６３はベース壁部１６１を基点として第二ボディ部材１４０を内側から外側に向かって（すなわち、下方に）押圧する力を第二ボディ部材１４０に対して作用させている。すなわち、第二ボディ部材１４０は貫通孔１４４を中心として時計回りの方向に回動するような力を受けていることになる。【００９２】
この結果として、第一ボディ部材１３０及び第二ボディ部材１４０は相互に閉じている状態（図２に示す状態）を維持している。【００９３】
さらに、第三壁部１６４及び第四壁部１６５は、その先端の突出部１６４Ｓ及び１６５Ｓが第一ボディ部材１３０の貫通孔１３４及び第二ボディ部材１４０の貫通孔１４４に挿入されることによって、第一ボディ部材１３０及び第二ボディ部材１４０の内壁に弾性力を作用させている。このため、第三壁部１６４及び第四壁部１６５は案内部材１５０を空間１６０の内部において左右方向に支持する機能を奏している。【００９４】
以上のような構造を有する本実施形態に係る連結具１００は、以下のようにして、組み立てられる。【００９５】
最初に、案内部材１５０の第三壁部１６４の先端１６４Ｓ及び第四壁部１６５の先端１６５Ｓを第二ボディ部材１４０の貫通孔１４４の各々に第二ボディ部材１４０の内部から嵌め入れる。【００９６】
次いで、第二ボディ部材１４０の貫通孔１４４から外側に突出している案内部材１５０の第三壁部１６４の先端１６４Ｓ及び第四壁部１６５の先端１６５Ｓを第一ボディ部材１３０の内側から第一ボディ部材１３０の貫通孔１３４に嵌め合わせる。これにより、第一ボディ部材１３０と第二ボディ部材１４０とは貫通孔１３４、１４４を中心として相互に回動可能に連結される。【００９７】
以上のような連結具１００の組み立ては全て手作業で行うことが可能である。【００９８】
以上のように組み立てられた連結具１００は以下のように使用される。【００９９】
まず、ネックレスその他のライン状装身具の一端を第一ボディ部材１３０の連結環１３２に、他端を雄連結具１１０の連結環１１２に結合する。これにより、雄連結具１１０を雌連結具１２０に挿入すれば、ライン状装身具はリング状になり、雄連結具１１０を雌連結具１２０から外せば、ライン状装身具はライン状に戻る。【０１００】
雄連結具１１０を雌連結具１２０の内部に挿入する場合には、図２に示すように、雄連結具１１０を第一ボディ部材１３０の貫通孔１３１に挿入し、次いで、空間１６０の内部に配置されている案内部材１５０のベース壁部１６１の孔１６６に挿入する。このとき、雄連結具１１０はベース壁部１６１の孔１６６によって支えられている。そのため、雄連結具１１０が真っ直ぐに挿入され、後述する雄連結具１１０の雌連結具１２０内部での固定が確実に行われる。【０１０１】
雄連結具１１０は直立壁１４２を介して第二ボディ部材１４０を下方に押し下げながら、挿入方向Ａに進行する。【０１０２】
そのまま雄連結具１１０を挿入方向Ａに進めると、雄連結具１１０のリング状溝１１１が第二ボディ部材１４０の直立壁１４２と並んだときに、第一壁部１６２及び第二壁部１６３の弾性力によって、第二ボディ部材１４０が押し上げられ、直立壁１４２がリング状溝１１１に嵌合する。図２はこの状態を示している。【０１０３】
このように、直立壁１４２がリング状溝１１１に嵌合することによって、雄連結具１１０は雌連結具１２０の内部に固定される。【０１０４】
図３は、雄連結具１１０を雌連結具１２０から取り外す場合の状態を示す縦断面図である。【０１０５】
雄連結具１１０を雌連結具１２０の内部から取り外す場合には、図３に示すように、第二ボディ部材１４０の直立壁１４２とは反対側を方向Ｂに向かって押し上げる。すなわち、第二ボディ部材１４０が貫通孔１４４を中心として反時計回りの方向に回動するように第二ボディ部材１４０を方向Ｂに向かって押し上げる。【０１０６】
第二ボディ部材１４０が貫通孔１４４を中心として反時計回りの方向に回動すると、図３に示すように、直立壁１４２も反時計回りの方向に回動するため、直立壁１４２と雄連結具１１０のリング状溝１１１との係合が解除される。すなわち、雄連結具１１０は雌連結具１２０に対して固定されていない状態になる。【０１０７】
このため、第二ボディ部材１４０を方向Ｂに向かって押した状態を維持しつつ、雄連結具１１０を挿入方向Ａとは反対の方向に引っ張ることにより、雄連結具１１０を雌連結具１２０から抜き出すことができる。このときも、ベース壁部１６１の孔１６６は雄連結具１１０を支えている。そのため、雄連結具１１０の位置が重力に従って下方に移動せず、雄連結具１１０の抜き取りを容易にしている。【０１０８】
雄連結具１１０を雌連結具１２０から抜き出した後、第二ボディ部材１４０を方向Ｂに向かって押すことをやめれば（すなわち、第二ボディ部材１４０から指を離せば）、第二壁部１６３の弾性力によって、第二ボディ部材１４０は貫通孔１４４を中心として時計回りの方向に回動し、元の位置（図１に示す位置）に復帰する。【０１０９】
以上のように、本実施形態に係る連結具１００によれば、図６９乃至図７２に示した従来の連結具４０及び４１において必要とされていた支軸５８及びコイルばね６７を用いることは不要となる。【０１１０】
このため、本実施形態に係る連結具１００は以下の効果を奏する。【０１１１】
第一に、連結具１００を構成する部品数を減らすことが可能である。【０１１２】
具体的には、図６９乃至図７１に示した従来の連結具４０は案内部５４、支軸５８及びコイルばね６７を必要としていたのに対して、本実施形態に係る連結具１００は、それらの３部品に代えて、案内部材１５０を１個用いるだけである。【０１１３】
あるいは、図７２に示した従来の連結具４１は案内片７０、支軸５８及びコイルばね６７を必要としていたのに対して、本実施形態に係る連結具１００は、それらの３部品に代えて、案内部材１５０を１個用いるだけである。【０１１４】
このように、本実施形態に係る連結具１００は、従来の連結具４０及び４１と比較して、部品数を２減らすことが可能である。【０１１５】
第二に、部品数を減らすことができることにより、特に、支軸５８及びコイルばね６７が不要になったことにより、以下の副次的効果を得ることができる。【０１１６】
第一の副次的効果は、連結具の組み立てに要する作業時間を短縮することができることである。【０１１７】
前述のように、支軸５８やコイルばね６７は極めて小さな部品であるため、これらの部品を使って連結具を組み立てるためには、熟練度の高い作業者であっても、かなりの時間を必要としていた。これに対して、本実施形態に係る連結具１００は、支軸５８やコイルばね６７を用いることなく、組み立てることが可能であるため、連結具１００の組み立て時間を大幅に短縮することができる。【０１１８】
また、作業時間の短縮化は加工コストの低減にもつながる。【０１１９】
第二の副次的効果は、連結具の軽量化を図ることができることである。【０１２０】
連結具の重量を減らすことにより、連結具を用いた装身具の重量バランスを向上させることができる。【０１２１】
例えば、ネックレスに連結具を連結させた場合、連結具の重量が大きいと、連結具が下方に沈みがちとなるため、連結具が使用者の前面側にずり落ちてくる結果となる。連結具を軽量化することにより、このような連結具のずり落ちを防止することが可能になる。【０１２２】
第三の副次的効果は、連結具の小型化を図ることができることである。従来の連結具においては、支軸５８を蓋体５１の貫通孔５５、底体６０の貫通孔６５及びコイルばね６７の孔に通す、という作業が可能な程度の大きさをどうしても必要としていた。しかし、部品数が減少し、組み立てが容易になったことから、従来に比して小さいサイズの連結具を提供することが可能となった。【０１２３】
第四の副次的効果は、部品の不良率を低下させることができることである。【０１２４】
部品数が多くなれば、それに比例して、部品の不良率も増大する。部品数を減らすことにより、部品の不良率、ひいては、最終製品としての連結具の不良率をも低下させることができる。【０１２５】
本実施形態に係る連結具１００は、上記の構造に限定されるものではなく、種々の改変が可能である。【０１２６】
例えば、第一壁部１６２及び第二壁部１６３は平面状の部材として構成することも可能であるが、図２及び図３に示すように、内側に向かって、すなわち、第一壁部１６２は下方に、第二壁部１６３は上方に向かって多少反るように構成することも可能である。換言すれば、第一壁部１６２及び第二壁部１６３は案内部材１５０の中心に向かって凸状になるように構成することが可能である。【０１２７】
このように、第一壁部１６２及び第二壁部１６３を凸状に構成することにより、第一壁部１６２及び第二壁部１６３の基端及び先端を確実に第一ボディ部材１３０及び第二ボディ部材１４０の内壁に接触させることが可能である。【０１２８】
また、必要があれば、図１に示すように、雌連結具１２０の外側から第三壁部１６４及び第四壁部１６５の各突出部１６４Ｓ及び１６５Ｓにカバー１６７を被せることも可能である。【０１２９】
カバー１６７として装飾用のカバーを用いることにより、連結具１００の装飾性を高めることが可能である。【０１３０】
また、第三壁部１６４及び第四壁部１６５の各突出部１６４Ｓ及び１６５Ｓは貫通孔１３４、１４４に通しやすくするため、角を丸めたり、あるいは、半球形状にすることが可能である。【０１３１】
本実施形態に係る連結具１００においては、案内部材１５０の第一壁部１６２と第二壁部１６３とは同一の形状を有するものとして構成されているが、第一壁部１６２と第二壁部１６３とは同一の形状を有することは必ずしも必要ではない。【０１３２】
例えば、第一ボディ部材１３０または第二ボディ部材１４０の内側の形状に応じて、何れか一方の長さまたは幅を他方よりも大きくすることも可能であり、あるいは、形状を変えることも可能である。【０１３３】
案内部材１５０は弾性を有する金属でつくることが好ましいが、樹脂でつくることも可能である。ただし、樹脂製の案内部材１５０は金属製の案内部材１５０と比較して耐久性には劣る。【０１３４】
また、第一ボディ部材１３０及び第二ボディ部材１４０は金属、樹脂、セラミック、木その他剛性を有する任意の材料でつくることができる。例えば、第一ボディ部材１３０及び第二ボディ部材１４０を透明の素材（透明樹脂または透明セラミック）でつくることにより、本連結具１００の使用者は外側から案内部材１５０の作動を見ることができるようになるため、本連結具１００のデザイン性を高めることができる。【０１３５】
本実施形態に係る連結具１００においては、第二ボディ部材１４０に直立壁１４２が形成されているが、第一ボディ部材１３０に直立壁１４２を形成することも可能であり、あるいは、第二ボディ部材１４０及び第一ボディ部材１３０の双方に直立壁１４２を形成することも可能である。【０１３６】
図４は案内部材１５０の変形例に係る案内部材１５０Ａの斜視図である。【０１３７】
本実施形態における案内部材１５０の第三壁部１６４の第一部分１６４Ｘ及び第四壁部１６５の第一部分１６５Ｘは一枚の板からつくられているが、図４に示すように、案内部材１５０Ａにおいては、第三壁部１６４の第一部分１６４ＸＡ及び第四壁部１６５の第一部分１６５ＸＡは一枚の板をＪ字型に折り曲げることにより二層構造とされている。【０１３８】
第三壁部１６４の第一部分１６４ＸＡ及び第四壁部１６５の第一部分１６５ＸＡを二層構造とすることにより、第三壁部１６４及び第四壁部１６５の弾性力と疲労に対する耐久性を向上させることができる。【０１３９】
さらに、図４に示すように、ベース壁部１６１の孔１６６の周縁には、雄連結具１１０の挿入方向Ａに延びる円筒状の補強部材１６８が形成されている。【０１４０】
ベース壁部１６１は孔１６６を形成することにより、強度の低下を免れないが、補強部材１６８を形成することにより、ベース壁部１６１の強度の低下を防止することが可能である。【０１４１】
さらに、補強部材１６８は円筒状であるため、雄連結具１１０が孔１６６を通過する際に、補強部材１６８は雄連結具１１０に対するガイドとして機能する。【０１４２】
なお、図５に示すように、補強部材１６８は雄連結具１１０の挿入方向Ａとは反対の方向に延びるように形成することも可能である。【０１４３】
図６は図５に示した案内部材１５０Ａを用いて構成した連結具の一例の斜視図である。【０１４４】
図６から明らかであるように、第一ボディ部材及び第二ボディ部材の形状が図１に示す第一ボディ部材１３０及び第二ボディ部材１４０とは異なっている。このことから明らかであるように、第一ボディ部材及び第二ボディ部材は、回動可能に連結することができ、内部に案内部材を配置する空間１６０を形成することが可能であれば、任意の形状を選択することができる。【０１４５】
（第二の実施形態）
図７は本発明の第二の実施形態に係る連結具２００の分解斜視図である。【０１４６】
本実施形態に係る連結具２００は、第一の実施形態における案内部材１５０に代えて、案内部材１５１を用いる。【０１４７】
図７に示すように、案内部材１５１は、雄連結具１１０が通過可能な孔１６６が形成されているベース壁部１６１と、ベース壁部１６１の上縁から雄連結具１１０の挿入方向Ａの反対方向に延びる第一壁部１６２と、ベース壁部１６１の下縁から第一壁部１６２と同一方向に延びる第二壁部１６３と、ベース壁部１６１の一方の側縁から第一壁部１６２と同一方向に延びる第三壁部１６４と、ベース壁部１６１の他方の側縁から第一壁部１６２と同一方向に延びる第四壁部１６５と、から構成されている。【０１４８】
ベース壁部１６１の孔１６６の周縁からは外側に向かって円筒形の補強部材１６８が形成されている。【０１４９】
第一壁部１６２はその先端において第二壁部１６３に向う第一延長部１６２Ａを備え、第二壁部１６３はその先端において第一壁部１６２に向う第二延長部１６２Ｂを備えている。【０１５０】
図７に示すように、第一延長部１６２Ａ及び第二延長部１６２Ｂの各先端は間隔を空けて離れており、第一延長部１６２Ａ及び第二延長部１６２Ｂの各先端には円弧状の切り欠き１６２ＡＡ、１６２ＢＢがそれぞれ形成されている。第一延長部１６２Ａ及び第二延長部１６２Ｂの各先端が相互に当接した場合には、二つの切り欠き１６２ＡＡ、１６２ＢＢは雄連結具１１０が通過可能な円形の孔を形成し、雄連結具１１０を支持する。【０１５１】
第三壁部１６４及び第四壁部１６５は二重壁構造を有している点を除いて、第一の実施形態における案内部材１５０と同様の構造及び機能を有している。【０１５２】
案内部材１５１は、第一の実施形態における案内部材１５０と同様に、弾性力を有する材料でつくられている。このため、第一壁部１６２及び第二壁部１６３はベース壁部１６１を基端としてバネとして機能する。同様に、第三壁部１６４及び第四壁部１６５はベース壁部１６１を基端としてバネとして機能する。【０１５３】
本実施形態における第二ボディ部材１４０の直立壁１４２には雄連結具１１０が通過可能な孔１４５が形成されている。また、第二ボディ部材１４０の貫通孔１４４は第一の実施形態の連結具における貫通孔１４４と比して、縦方向に長く形成されており、上辺が短く下辺が長い台形形状をしている。【０１５４】
以上のような構造を有する本実施形態に係る連結具２００は、第一の実施形態に係る連結具１００と同様にして全て手作業で組み立てることができる。【０１５５】
図８は、本実施形態に係る連結具２００において、雄連結具１１０を雌連結具１２０の内部に挿入した状態を示す縦断面図であり、図９は、雄連結具１１０を雌連結具１２０から取り外す場合の状態を示す縦断面図である。【０１５６】
本実施形態に係る連結具２００は以下のように使用される。【０１５７】
まず、ネックレスその他のライン状装身具の一端を第一ボディ部材１３０の連結環１３２に、他端を雄連結具１１０の連結環１１２に結合する。【０１５８】
雄連結具１１０を雌連結具１２０の内部に挿入する場合には、図８に示すように、雄連結具１１０を第一ボディ部材１３０の貫通孔１３１に挿入し、次いで、第二ボディ部材１４０の直立壁１４２の孔１４５に挿入する。【０１５９】
雄連結具１１０はその外面において孔１４５に接触することにより第二ボディ部材１４０が第一壁部１６２及び第二壁部１６３の弾性力により下降しようとすることを阻止しつつ、案内部材１５１の内部に挿入方向Ａに進入する。【０１６０】
そのまま雄連結具１１０を挿入方向Ａに進めると、雄連結具１１０のリング状溝１１１が第二ボディ部材１４０の直立壁１４２の孔１４５と並んだときに、第一壁部１６２及び第二壁部１６３の弾性力によって、第二ボディ部材１４０が下降し、直立壁１４２が上方からリング状溝１１１に嵌合する。図８はこの状態を示している。【０１６１】
このように、直立壁１４２が孔１４５を介してリング状溝１１１に嵌合することによって、雄連結具１１０は雌連結具１２０の内部に固定される。【０１６２】
雄連結具１１０を雌連結具１２０の内部から取り外す場合には、図９に示すように、第二ボディ部材１４０の直立壁１４２を方向Ｂに向かって押し上げる。第二ボディ部材１４０の貫通孔１４４は縦方向に長さを有するように形成されているため、第二ボディ部材１４０はスライドするようにして上方に移動する。このとき、第二壁部１６３は第二ボディ部材１４０を介して押圧され、ベース壁部１６１を中心として第一壁部１６２に近接するように動く。このように貫通孔１４４の形状を縦方向に長さを有するようにしたことから、本実施形態における連結具においては、第一ボディ部材及び第二ボディ部材は貫通孔１４４ではなく、ベース壁部１６１を中心として回動可能に連結されており、第二ボディ部材はほぼ上下の方向にスライド移動するように動くこととなる。【０１６３】
第二ボディ部材１４０が上方に移動すると（つまり、ベース壁部１６１を中心として時計回りの方向に回動すると）、図９に示すように、直立壁１４２も上方に移動するため、直立壁１４２の孔１４５と雄連結具１１０のリング状溝１１１との係合が解除される。すなわち、雄連結具１１０は雌連結具１２０に対して固定されていない状態になる。【０１６４】
このため、第二ボディ部材１４０を方向Ｂに向かって押した状態を維持しつつ、雄連結具１１０を挿入方向Ａとは反対の方向に引っ張ることにより、雄連結具１１０を雌連結具１２０から抜き出すことができる。【０１６５】
雄連結具１１０を雌連結具１２０から抜き出した後、第二ボディ部材１４０を方向Ｂに向かって押すことをやめれば（すなわち、第二ボディ部材１４０から指を離せば）、第二壁部１６３の弾性力によって、第二ボディ部材１４０は貫通孔１４４を中心として反時計回りの方向に回動し、元の位置（図８に示す位置）に復帰する。【０１６６】
以上のように、本実施形態に係る連結具２００は、第一の実施形態に係る連結具１００と同様の効果に加え、ベース壁部１６１を中心として回動するように構成したことから、押圧する位置がボディ部材の中央付近であってもボディ部材を回動させて係合を解除することが可能となり、操作性をさらに向上させるという効果も得ることができる。【０１６７】
本実施形態に係る連結具２００は、上記の構造に限定されるものではなく、種々の改変が可能である。【０１６８】
例えば、案内部材１５１の形状は図７に示した形状に限定されるものではなく、種々の改変が可能である。【０１６９】
図１０は案内部材１５１の変形例に係る案内部材１５１Ａの斜視図であり、図１１は、案内部材１５１Ａを用いた雌連結具１２０の内部に雄連結具１１０を挿入した状態を示す縦断面図である。【０１７０】
図１０及び図１１に示すように、案内部材１５１Ａの第二壁部１６３には補助弾性体１６９が形成されている。補助弾性体１６９は、第二壁部１６３の長さ方向にＵ字型の切り込みを入れることにより、第二壁部１６３の長さ方向に延びるように形成されている。具体的には、第二壁部１６３の先端側にＵ字の開口端が位置するようにＵ字型の切り込みを形成することにより、補助弾性体１６９は第二壁部１６３の先端側に基端を、第二壁部１６３の基端側に先端を有するものとして形成されている。補助弾性体１６９の先端は第二壁部１６３の下方に位置している。【０１７１】
図１１に示すように、案内部材１５１Ａを使用した場合においては、案内部材１５１Ａは、雌連結具１２０の内部において、第一壁部１６２の先端及び基端が第一ボディ部材１３０の内壁に接触し、第一ボディ部材１３０を内側から外側に向かって（すなわち、上方に）押圧する弾性力を作用させているとともに、第二壁部１６３の先端及び補助弾性体１６９の先端が第二ボディ部材１４０の内壁に接触し、第二ボディ部材１４０を内側から外側に向かって（すなわち、下方に）押圧する弾性力を作用させている。【０１７２】
このように、補助弾性体１６９を設けることにより、案内部材１５１Ａは案内部材１５１より大きな弾性力を有することができる。このため、案内部材１５１Ａは案内部材１５１より大きな弾性力で第一ボディ部材１３０及び第二ボディ部材１４０の各内壁に接触することができ、案内部材１５１Ａと第一ボディ部材１３０及び第二ボディ部材１４０との間のガタつきの発生を防止することができる。【０１７３】
案内部材１５１Ａにおいては、補助弾性体１６９は第二壁部１６３にのみ形成されているが、第一壁部１６２に形成してもよく、あるいは、第一壁部１６２及び第二壁部１６３の双方に形成することもできる。【０１７４】
さらに、案内部材１５１Ａにおいては、第二壁部１６３に１個の補助弾性体１６９が形成されているが、２個以上の補助弾性体を相互に平行に形成することも可能である。【０１７５】
また、案内部材１５１Ａにおいては、第二壁部１６３にＵ字型の切り込みを入れることにより補助弾性体１６９を形成しているが、他の方法により補助弾性体１６９を形成することも可能である。例えば、第二壁部１６３の表面に補助弾性体１６９と同一形状の弾性体を溶接その他の手段により取り付けることも可能である。【０１７６】
また、本実施形態における案内部材１５１においては、ベース壁部１６１には孔１６６及び補強部材１６８が形成されており、第三壁部１６４及び第四壁部１６５は折り曲げ構造（二重壁構造）になっているが、案内部材１５１をより単純に形成することも可能である。【０１７７】
図１２は案内部材１５１の第二の変形例に係る案内部材１５１Ｂの斜視図である。【０１７８】
図７に示した案内部材１５１と比較して、案内部材１５１Ｂのベース壁部１６１には孔１６６及び補強部材１６８は形成されていない。さらに、第三壁部１６４及び第四壁部１６５は折り曲げ構造ではなく、第一の実施形態における案内部材１５０の第三壁部１６４及び第四壁部１６５（図１参照）と同一の構造を有している。【０１７９】
本実施形態に係る連結具２００においては、案内部材１５１に代えて案内部材１５１Ｂを用いることも可能である。【０１８０】
また、本実施形態に係る連結具２００における雌連結具１２０を構成する第一ボディ部材１３０及び第二ボディ部材１４０も図７に示した構造に限定されるものではなく、種々の改変が可能である。【０１８１】
図１３は本実施形態の第一の変形例に係る連結具２００Ａの分解斜視図、図１４は、本変形例に係る連結具２００Ａにおいて、雄連結具１１０を雌連結具１２０の内部に挿入した状態を示す縦断面図であり、図１５は、雄連結具１１０を雌連結具１２０から取り外す場合の状態を示す縦断面図である。【０１８２】
連結具２００Ａにおける雌連結具１２０は、第一ボディ部材１３０Ａと、第一ボディ部材１３０Ａと相互に回動可能に連結し、第一ボディ部材１３０Ａとともに内部に中空の空間１６０を形成する第二ボディ部材１４０Ａと、図１２に示した案内部材１５１Ｂと、第一ボディ部材１３０Ａ及び第二ボディ部材１４０Ａが相互に回動可能である状態で、第一ボディ部材１３０Ａ及び第二ボディ部材１４０Ａを内部に収納する外側カバー部材１７０と、から構成されている。【０１８３】
第一ボディ部材１３０Ａは下方に開口する上方に凸のドーム状の部材であり、側方には一対の壁部２０１が形成され、各壁部２０１には案内部材１５１Ｂの先端１６４Ｓ及び１６５Ｓが嵌合する縦長の長方形状に形成された貫通孔２０２が形成されている。【０１８４】
さらに、第一ボディ部材１３０Ａの前端（図１３の左側端部）には下方に、すなわち、第二ボディ部材１４０Ａに向かって延びる第一支持部２０３が形成されている。第一支持部２０３はＪ字型の形状をなしており、その先端部分には雄連結具１１０のリング状溝１１１に下方から係合可能な係合部２０３Ａが形成されている。【０１８５】
第二ボディ部材１４０Ａは上方に開口する下方に凸のドーム状の部材であり、側方には一対の壁部２０４が形成され、各壁部２０４には案内部材１５１Ｂの先端１６４Ｓ及び１６５Ｓが嵌合する縦長の長方形状に形成された貫通孔２０５が形成されている。【０１８６】
さらに、第二ボディ部材１４０Ａの前端（図１３の左側端部）には上方に、すなわち、第一ボディ部材１３０Ａに向かって延びる第二支持部２０６が形成されている。第二支持部２０６はＪ字型の形状をなしており、その先端部分には雄連結具１１０のリング状溝１１１に上方から係合可能な係合部２０６Ａが形成されている。【０１８７】
外側カバー部材１７０は上下方向に開口し、横断面が長円形をなすリング状の部材である。外側カバー部材１７０はその内部に第一ボディ部材１３０Ａ及び第二ボディ部材１４０Ａ（案内部材１５１Ｂは第一ボディ部材１３０Ａと第二ボディ部材１４０Ａとの間に挟まれている）を収容し得るサイズを有している。【０１８８】
外側カバー部材１７０の前方には雄連結具１１０が通過可能な貫通孔１７１が形成されているとともに、側部には案内部材１５１Ｂの先端１６４Ｓ及び１６５Ｓが嵌合する一対の貫通孔１７２が形成されている。外側カバー部材１７０の後端（図１３の右側端部）には連結環１７３が形成されている。【０１８９】
また、外側カバー部材１７０の内壁には一対の凸状部１７４が形成されている。凸状部１７４は、図１４及び図１５に示すように、外側カバー部材１７０の内部に第一ボディ部材１３０Ａ及び第二ボディ部材１４０Ａを収納するときに、外側カバー部材１７０に対する第一ボディ部材１３０Ａ及び第二ボディ部材１４０Ａの位置決めを行う。【０１９０】
案内部材１５１Ｂは先端１６４Ｓ及び１６５Ｓが第一ボディ部材１３０Ａの貫通孔２０２、第二ボディ部材１４０Ａの貫通孔２０５及び外側カバー部材１７０の貫通孔１７２に嵌合することにより位置決めされる。【０１９１】
案内部材１５１Ｂの第一壁部及び第二壁部には貫通孔１５１ＢＡが形成されており、第一ボディ部材１３０Ａ及び第二ボディ部材１４０Ａの内壁には貫通孔１５１ＢＡに嵌合する凸状体２０７が形成されている。凸状体２０７が貫通孔１５１ＢＡに嵌合することによっても、案内部材１５１Ｂは第一ボディ部材１３０Ａ及び第二ボディ部材１４０Ａに対して位置決めされる。【０１９２】
本変形例に係る連結具２００Ａは以下のように使用される。【０１９３】
雄連結具１１０を外側カバー部材１７０の貫通孔１７１を介して雌連結具１２０の内部に挿入すると、図１４に示すように、雄連結具１１０は第一ボディ部材１３０Ａの第一支持部２０３及び第二ボディ部材１４０Ａの第二支持部２０６に接触し、第一支持部２０３の上方への移動及び第二支持部２０６の下方への移動を阻止しつつ、進行する。【０１９４】
さらに、雄連結具１１０が案内部材１５１Ｂの内部に進入すると、図１４に示すように、第一壁部１６２の第一延長部１６２Ａの先端の切り欠き１６２ＡＡが上方から、第二壁部１６３の第二延長部１６２Ｂの先端の切り欠き１６２ＢＢが下方から雄連結具１１０を支持する。【０１９５】
雄連結具１１０をさらに進め、雄連結具１１０のリング状溝１１１と第一ボディ部材１３０Ａの第一支持部２０３及び第二ボディ部材１４０Ａの第二支持部２０６とが上下方向において並ぶ位置まで雄連結具１１０が到達すると、案内部材１５１Ｂの弾性力によって、第一ボディ部材１３０Ａの第一支持部２０３の係合部２０３Ａは雄連結具１１０のリング状溝１１１に下側から嵌合するとともに、第二ボディ部材１４０Ａの第二支持部２０６の係合部２０６Ａは雄連結具１１０のリング状溝１１１に上側から嵌合する。これにより、雄連結具１１０は案内部材１５１Ｂの内部に固定される。図１４はこの状態を示している。【０１９６】
雄連結具１１０を案内部材１５１Ｂから取り外す場合には、図１５に示すように、第一ボディ部材１３０Ａを第二ボディ部材１４０Ａの方向Ｂに、第二ボディ部材１４０Ａを第一ボディ部材１３０Ａの方向Ｂにそれぞれ押す。【０１９７】
これにより、第一ボディ部材１３０Ａの第一支持部２０３は下方に移動し、第二ボディ部材１４０Ａの第二支持部２０６は上方に移動するため、第一支持部２０３及び第二支持部２０６と雄連結具１１０のリング状溝１１１との係合が解除される。この後、雄連結具１１０を案内部材１５１Ｂから引き抜くことができる。【０１９８】
以上のように、本変形例に係る連結具２００Ａによっても、第二の実施形態に係る連結具２００と同様の効果を得ることができる。本変形例から明らかなように、第三壁部及び第四壁部の先端が嵌合する貫通孔の形状は、第一壁部及び第二壁部の弾性力の働く方向（図１３であれば上下の方向）に長さを有していれば、装身具用連結具２００と同様の効果を得ることができ、台形や長方形、その他任意の形状を選択することができる。【０１９９】
図１６は本実施形態の第二の変形例に係る連結具２００Ｂの分解斜視図である。【０２００】
本変形例に係る連結具２００Ｂにおいては、本実施形態に係る連結具２００（図７参照）と比較して、案内部材１５１に代えて、案内部材１５１Ｃを用いる。【０２０１】
案内部材１５１Ｃは、案内部材１５１Ｂ（図１２参照）と比較して、第一延長部１６２Ａ及び第二延長部１６２Ｂに代えて、第一延長部１６２Ｃ及び第二延長部１６２Ｄを備えている。【０２０２】
第一延長部１６２Ｃは、第一壁部１６２の先端を含む一方の側縁から第二壁部１６３に向かって延びる第一部分１６２ＣＡと、第一部分１６２ＣＡの下端から第一壁部１６２と平行に案内部材１５１Ｃの内側に向かって延びる第二部分１６２ＣＢと、から構成されている。【０２０３】
第二延長部１６２Ｄは、第二壁部１６３の先端を含む一方の側縁（第一部分１６２ＣＡが形成されている第一壁部１６２の側縁とは反対側の側縁）から第一壁部１６２に向かって延びる第一部分１６２ＤＡと、第一部分１６２ＤＡの上端から第二壁部１６３と平行に案内部材１５１Ｃの内側に向かって延びる第二部分１６２ＤＢと、から構成されている。【０２０４】
図１６に示すように、第二延長部１６２Ｄの第二部分１６２ＤＢは第一壁部１６２の先端よりも前方に位置し、第一延長部１６２Ｃの第二部分１６２ＣＢは第二延長部１６２Ｄの第二部分１６２ＤＢ及び第二壁部１６３の先端よりも前方に位置している。このため、第一延長部１６２Ｃの第二部分１６２ＣＢ及び第二延長部１６２Ｄの第二部分１６２ＤＢがそれぞれ上下動しても、相互に干渉することはない。
【０２０５】
第一延長部１６２Ｃの第二部分１６２ＣＢ及び第二延長部１６２Ｄの第二部分１６２ＤＢは前方から（すなわち、挿入方向Ａから）見たときに、ほぼＪ字型の円弧形状をなしている。【０２０６】
図１６に示すように、第一延長部１６２Ｃの第二部分１６２ＣＢ及び第二延長部１６２Ｄの第二部分１６２ＤＢは同一面内において相互に間隔を開けて対向している。このため、後述するように、雄連結具１１０を案内部材１５１Ｃの内部に挿入すると、第一延長部１６２Ｃの第二部分１６２ＣＢは雄連結具１１０に下方から係合し、第二延長部１６２Ｄの第二部分１６２ＤＢは雄連結具１１０に上方から係合する。【０２０７】
なお、本変形例に係る連結具２００Ｂにおいては、第一延長部１６２Ｃの第二部分１６２ＣＢ及び第二延長部１６２Ｄの第二部分１６２ＤＢが雄連結具１１０のリング状溝１１１に係合するため、第二ボディ部材１４０Ｂには直立壁１４２（図７参照）は形成されていない。【０２０８】
本変形例に係る連結具２００Ｂは以下のように使用される。【０２０９】
雄連結具１１０を第一ボディ部材１３０の貫通孔１３１を介して雌連結具１２０の内部に挿入すると、雄連結具１１０は第一延長部１６２Ｃの第二部分１６２ＣＢ及び第二延長部１６２Ｄの第二部分１６２ＤＢに接触し、第一延長部１６２Ｃの第二部分１６２ＣＢの上方への移動及び第二延長部１６２Ｄの第二部分１６２ＤＢの下方への移動を阻止しつつ、進行する。【０２１０】
雄連結具１１０をさらに進め、雄連結具１１０のリング状溝１１１と第一延長部１６２Ｃの第二部分１６２ＣＢ及び第二延長部１６２Ｄの第二部分１６２ＤＢとが上下方向において並ぶ位置まで雄連結具１１０が到達すると、案内部材１５１Ｃの弾性力によって、第一延長部１６２Ｃの第二部分１６２ＣＢは雄連結具１１０のリング状溝１１１に下側から嵌合するとともに、第二延長部１６２Ｄの第二部分１６２ＤＢは雄連結具１１０のリング状溝１１１に上側から嵌合する。これにより、雄連結具１１０は案内部材１５１Ｃの内部に固定される。【０２１１】
雄連結具１１０を案内部材１５１Ｃから取り外す場合には、第一ボディ部材１３０Ａ及び第二ボディ部材１４０Ａを相互に近づく方向に押す。これにより、第一壁部１６２及び第二壁部１６３が近接するように移動する。【０２１２】
これにより、第一延長部１６２Ｃの第二部分１６２ＣＢは下方に移動し、第二延長部１６２Ｄの第二部分１６２ＤＢは上方に移動するため、第一延長部１６２Ｃ及び第二延長部１６２Ｄと雄連結具１１０のリング状溝１１１との係合が解除される。この後、雄連結具１１０を案内部材１５１Ｂから引き抜くことができる。【０２１３】
以上のように、本変形例に係る連結具２００Ｂによっても、第二の実施形態に係る連結具２００と同様の効果を得ることができる。【０２１４】
図１７は本実施形態の第三の変形例に係る連結具２００Ｃの分解斜視図、図１８は、本変形例に係る連結具２００Ｃにおいて、雄連結具１１０を雌連結具１２０の内部に挿入した状態を示す縦断面図であり、図１９は、雄連結具１１０を雌連結具１２０から取り外す場合の状態を示す縦断面図である。【０２１５】
本変形例に係る連結具２００Ｃにおいては、第二の変形例に係る連結具２００Ｂ（図１６参照）と比較して、案内部材１５１Ｃに代えて、案内部材１５１Ｄを用いる。【０２１６】
図１７に示すように、案内部材１５１Ｄは、案内部材１５１Ｃと比較して、第一延長部２１０及び第二延長部２２０の形状が異なっている。【０２１７】
第一延長部２１０は第一壁部１６２の先端から直角に屈曲して下方に延びており、雄連結具１１０が通過可能な円形の孔２１１が形成されている。【０２１８】
第二延長部２２０は、第二壁部１６３の先端を含む一方の側縁から、第一壁部１６２と抵触しない高さにおいて、鉛直上方に延びる鉛直部分２２１と、鉛直部分２２１の上端から挿入方向Ａと直交する方向に延びる水平部分２２２と、から構成されている。【０２１９】
第二延長部２２０の水平部分２２２は第一延長部２１０よりも前方に位置している。【０２２０】
第二延長部２２０の水平部分２２２は、図１６に示した案内部材１５１Ｃにおける第二延長部１６２Ｄの第二部分１６２ＤＢと同様の動作を行う。すなわち、第二延長部２２０は図１６に示した案内部材１５１Ｃにおける第二延長部１６２Ｄに対応している。【０２２１】
案内部材１５１Ｃにおいては、第一延長部１６２Ｃの第二部分１６２ＣＢが雄連結具１１０のリング状溝１１１に下方から、第二延長部１６２Ｄの第二部分１６２ＤＢが雄連結具１１０のリング状溝１１１に上方から嵌合するのに対して、案内部材１５１Ｄにおいては、第二延長部２２０の水平部分２２２のみが雄連結具１１０のリング状溝１１１に上方から嵌合する。【０２２２】
このように、本変形例に係る連結具２００Ｃによっても、第二の実施形態に係る連結具２００と同様の効果を得ることができる。【０２２３】
なお、本変形例に係る連結具２００Ｃにおいては、第一延長部２１０は第一壁部１６２に形成され、第二延長部２２０は第二壁部１６３に形成されているが、これとは逆に、第一延長部２１０を第二壁部１６３に、第二延長部２２０を第一壁部１６２に形成することも可能である。この場合には、構造が上下に関して点対称になる。【０２２４】
図２０は本実施形態の第四の変形例に係る連結具２００Ｄの分解斜視図である。【０２２５】
連結具２００Ｄにおいては、本実施形態に係る連結具２００と比較して、案内部材１５１と第二ボディ部材１４０とが一体化され、一個の部品として形成されている。具体的には、案内部材１５１の第二壁部１６３の先端に、第二延長部１６２Ｂに代えて、直立壁１４２が形成されている。突出壁部１４３は形成されない。【０２２６】
（第三の実施形態）
図２１は本発明の第三の実施形態に係る連結具３００の分解斜視図、図２２は、本実施形態に係る連結具３００において、雄連結具１１０を雌連結具１２０の内部に挿入した状態を示す縦断面図であり、図２３は、雄連結具１１０を雌連結具１２０から取り外す場合の状態を示す縦断面図である。【０２２７】
本実施形態に係る連結具３００は、第二の実施形態に係る連結具２００（図７参照）と比較して、案内部材１５１に代えて、案内部材１５２を用いる点において相違する。【０２２８】
第二の実施形態における案内部材１５１と本実施形態における案内部材１５２との相違点に起因して、本実施形態における第二ボディ部材１４０には直立壁１４２（図７参照）は形成されていない。【０２２９】
第一壁部１６２の先端から下方に垂直に延びる第一延長部１６２Ａには切り欠き１６２ＡＡに代えて、雄連結具１１０が通過可能な孔１６２ＡＢが形成されている。【０２３０】
第二壁部１６３の先端から上方に垂直に延びる第二延長部１６２Ｂには切り欠き１６２ＢＢに代えて、雄連結具１１０が通過可能な孔１６２ＢＣが形成されている。【０２３１】
第二延長部１６２Ｂは第一延長部１６２Ａよりも前方に位置しており、第一延長部１６２Ａと第二延長部１６２Ｂとは相互に干渉しない位置関係にある。【０２３２】
案内部材１５２の第一壁部１６２及び第二壁部１６３が撓んでいない状態においては、第一延長部１６２Ａの孔１６２ＡＢと第二延長部１６２Ｂの孔１６２ＢＣとは同心の関係にある。【０２３３】
本実施形態に係る連結具３００は以下のように使用される。【０２３４】
まず、ネックレスその他のライン状装身具の一端を第一ボディ部材１３０の連結環１３２に、他端を雄連結具１１０の連結環１１２に結合する。【０２３５】
雄連結具１１０を雌連結具１２０の内部に挿入する場合には、図２２に示すように、雄連結具１１０を第一ボディ部材１３０の貫通孔１３１に挿入し、次いで、第一延長部１６２Ａの孔１６２ＡＢ及び第二延長部１６２Ｂの孔１６２ＢＣに挿入する。【０２３６】
雄連結具１１０はその外面において第二延長部１６２Ｂの孔１６２ＢＣに接触することにより第二壁部１６３が第二壁部１６３の弾性力により下降しようとすることを阻止しつつ、案内部材１５１の内部に挿入方向Ａに進入する。【０２３７】
そのまま雄連結具１１０を挿入方向Ａに進めると、雄連結具１１０のリング状溝１１１が鉛直方向において第二延長部１６２Ｂの孔１６２ＢＣと並んだときに、第二壁部１６３の弾性力によって、第二壁部１６３が下降し、第二延長部１６２Ｂの孔１６２ＢＣがリング状溝１１１に上方から嵌合する。図２２はこの状態を示している。【０２３８】
このように、第二壁部１６３が第二延長部１６２Ｂの孔１６２ＢＣを介してリング状溝１１１に嵌合することによって、雄連結具１１０は雌連結具１２０の内部に固定される。【０２３９】
雄連結具１１０を雌連結具１２０の内部から取り外す場合には、図２３に示すように、第二ボディ部材１４０を介して案内部材１５２の第二延長部１６２Ｂを方向Ｂに向かって押し上げる。【０２４０】
これにより、図２３に示すように、第二延長部１６２Ｂが上方に押し上げられるため、第二延長部１６２Ｂの孔１６２ＢＣと雄連結具１１０のリング状溝１１１との係合が解除される。すなわち、雄連結具１１０は雌連結具１２０に対して固定されていない状態になる。【０２４１】
第二ボディ部材１４０（ひいては、案内部材１５２の第二延長部１６２Ｂ）を方向Ｂに向かって押した状態を維持しつつ、雄連結具１１０を挿入方向Ａとは反対の方向に引っ張ることにより、雄連結具１１０を雌連結具１２０から抜き出すことができる。【０２４２】
雄連結具１１０を雌連結具１２０から抜き出した後、第二ボディ部材１４０を方向Ｂに向かって押すことをやめれば（すなわち、第二ボディ部材１４０から指を離せば）、第二壁部１６３の弾性力によって、第二ボディ部材１４０は貫通孔１４４を中心として反時計回りの方向に回動し、元の位置（図２２に示す位置）に復帰する。【０２４３】
以上のように、本実施形態に係る連結具３００によっても、第二の実施形態に係る連結具２００と同様の効果を得ることができる。【０２４４】
（第四の実施形態）
図２４は本発明の第四の実施形態に係る連結具４００の分解斜視図である。【０２４５】
本実施形態に係る連結具４００は、図２４に示すように、雄連結具１１０と、案内部材１５３と、収納部材１３５と、から構成されている。【０２４６】
収納部材１３５は、ラバーやシリコンなどの変形可能な弾性材料からつくられており、案内部材１５３を内部に収納可能な中空の卵型形状をなしている。一端には雄連結具１１０が通過可能な孔１３１が形成されており、反対側端部には案内部材１５３の連結環１５３Ｐ（後述）が突出可能なスリット１３６が形成されている。【０２４７】
図２５は案内部材１５３の一部を除去した状態における案内部材１５３の分解斜視図である。【０２４８】
図２４及び図２５に示すように、案内部材１５３は、中央に雄連結具１１０が通過可能な孔１５３Ｂが形成されている平板状のベース壁１５３Ａと、孔１５３Ｂの周縁から前方に延びる円筒状の補強部材１５３Ｃと、ベース壁１５３Ａの上端から後方（雄連結具１１０の挿入方向Ａ）に延びる第一部分１５３Ｄと、第一部分１５３Ｄの先端から上方にＵ字状に湾曲し、補強部材１５３Ｃを通りすぎて前方に延びる第二部分１５３Ｅと、第二部分１５３Ｅの先端から直角に下方に延び、その先端には半円状の切り欠き１５３Ｇが形成されている第三部分１５３Ｆと、ベース壁１５３Ａの下端から後方（雄連結具１１０の挿入方向Ａ）に延びる第四部分１５３Ｈと、第四部分１５３Ｈの先端から下方にＵ字状に湾曲し、補強部材１５３Ｃを通りすぎて前方に延びる第五部分１５３Ｉと、第五部分１５３Ｉの先端から直角に上方に延び、その先端には半円状の切り欠き１５３Ｋが形成されている第六部分１５３Ｊと、ベース壁１５３Ａの一方の側縁（例えば、左側側縁）から第四部分１５３Ｈの外周に沿ってベース壁１５３Ａの他方の側縁（例えば、右側側縁）を越えて延びる第七部分１５３Ｍ（図２５参照）と、から構成されている。【０２４９】
第三部分１５３Ｆの先端と第六部分１５３Ｊの先端とは補強部材１５３Ｃの前方において相互に重なり合っており、第三部分１５３Ｆに形成されている切り欠き１５３Ｇと第六部分１５３Ｊに形成されている切り欠き１５３Ｋとは、雄連結具１１０のリング状溝１１１に嵌合可能な外径を有する孔を形成している。【０２５０】
第七部分１５３Ｍには、その後方端において連結環１５３Ｐが形成されている。【０２５１】
また、第七部分１５３Ｍには、ベース壁１５３Ａの他方の側縁と並ぶ位置において、上縁及び下縁に切り欠き１５３Ｎが形成されており、これらの切り欠き１５３Ｎにはベース壁１５３Ａの他方の側縁から延びる延長部分１５３Ｌが嵌め込まれている。【０２５２】
本実施形態に係る連結具４００は次のように使用される。【０２５３】
先ず、案内部材１５３を収納部材１３５の内部に収納する。収納部材１３５は弾性変形が可能であるため、孔１３１を引き延ばすことにより、孔１３１を介して案内部材１５３を収納部材１３５の内部に収納させることが可能である。案内部材１５３を収納部材１３５の内部に収納させた状態においては、案内部材１５３の連結環１５３Ｐはスリット１３６から外側に突出する。【０２５４】
図２６は、雄連結具１１０を案内部材１５３の内部に収納させた状態における平面図（上方から見た図）、図２７は、雄連結具１１０を案内部材１５３の内部に収納させた状態における側面図（水平方向から見た図）、図２８は、雄連結具１１０を案内部材１５３の内部から抜き出す状態における側面図（水平方向から見た図）である。【０２５５】
第三部分１５３Ｆに形成されている切り欠き１５３Ｇと第六部分１５３Ｊに形成されている切り欠き１５３Ｋとが形成している孔に雄連結具１１０を押し込むと、この孔は雄連結具１１０により上下に押し広げられる。【０２５６】
雄連結具１１０をさらに押し込み、雄連結具１１０の溝１１１と第三部分１５３Ｆの先端及び第六部分１５３Ｊの先端とが並ぶ位置まで雄連結具１１０が到達すると、第三部分１５３Ｆは第一部分１５３Ｄ及び第二部分１５３Ｅの弾性力により下降し、雄連結具１１０の溝１１１に上方から嵌まり込むとともに、第六部分１５３Ｊは第四部分１５３Ｈ及び第五部分１５３Ｉの弾性力により上昇し、雄連結具１１０の溝１１１に下方から嵌まり込む。これにより、図２７に示すように、案内部材１５３と雄連結具１１０とが連結された状態になる。【０２５７】
雄連結具１１０を案内部材１５３から抜き取る場合には、図２８に示すように、第二部分１５３Ｅ及び第五部分１５３Ｉを連結環１５３Ｐに近い位置において相互に向う方向Ｃに押す。これにより、図２８に示すように、第三部分１５３Ｆは上方に移動し、第六部分１５３Ｊは下方に移動し、第三部分１５３Ｆ及び第六部分１５３Ｊと雄連結具１１０の溝１１１との係合が解除される。この状態において、雄連結具１１０を案内部材１５３から抜き取ることが可能になる。【０２５８】
以上のように、本実施形態に係る連結具４００によっても、第一の実施形態に係る連結具１００と同様の効果を得ることができる。【０２５９】
本実施形態に係る連結具４００おいては、案内部材１５３の第三部分１５３Ｆに形成されている切り欠き１５３Ｇと第六部分１５３Ｊに形成されている切り欠き１５３Ｋが溝１１１に係合するようにしたこと、収納部材１３５に変形可能な弾性材料を用いたことから、収納部材を介して案内部材を押圧することが可能となった。このため、複数のボディ部材を連結して回動させる必要がなく、収納部材は一体として形成されている。回動しない、一体として形成された収納部材を用いることで、さらに部品数を減らすことができる。【０２６０】
本実施形態及び他の実施形態からも明らかなように本発明に係る連結具においては様々な収納部材を採用することが可能である。使用者の好みに合わせて様々な外装を選択できることは、特に連結具を装身具用に用いる場合においては大きな利点となる。【０２６１】
本実施形態に係る連結具４００の案内部材１５３においては、第一の実施形態における案内部材１５０の第一壁部１６２及び第二壁部１６３に対応する二つの壁部は一枚の板を折り曲げることにより二重構造をなしている。このように、二重構造とすることにより、強度及び弾性力を向上させることが可能である。【０２６２】
また、収納部材１３５は案内部材１５３に対して容易に脱着可能であるため、収納部材１３５を容易に交換することができ、これにより、連結具４００の外観を向上させることができる。【０２６３】
（第五の実施形態）
図２９は本発明の第五の実施形態に係る連結具５００の分解斜視図であり、図３０は連結具５００の縦断面図である。【０２６４】
図２９に示すように、本実施形態に係る連結具５００は、雄連結具１１０と、案内部材１５４と、収納部材１３７と、リリースボタン１３８と、から構成されている。【０２６５】
案内部材１５４は、中央に孔１６６が形成されているベース壁部１６１と、ベース壁部１６１の上端から雄連結具１１０の挿入方向Ａの反対方向に延びる第一壁部１６２と、ベース壁部１６１の下端から第一壁部１６２と同一方向に延びる第二壁部１６３と、から構成されている。【０２６６】
案内部材１５４は弾性材料でつくられており、ベース壁部１６１を中心として第一壁部１６２及び第二壁部１６３は相互に離れる方向に弾性力を有している。【０２６７】
ベース壁部１６１の孔１６６の周縁には雄連結具１１０の挿入方向Ａの反対方向に延びる円筒形状の補強部材１６８が形成されている。【０２６８】
第一壁部１６２はその先端においてベース壁部１６１に向かって上方に折り返されることにより二重壁構造を有している。【０２６９】
第二壁部１６３の先端には雄連結具１１０が通過可能な、雄連結具１１０の挿入方向Ａに中心軸を有する円筒形状の環状壁１６３Ａが形成されている。環状壁１６３Ａ及び補強部材１６８は雄連結具１１０を支持する機能を有する。【０２７０】
収納部材１３７は中空の卵型形状をなしており、一端には、孔１３７Ａが形成されており、孔１３７Ａの反対側には連結環１３７Ｂが形成されている。案内部材１５４は孔１３７Ａを介して収納部材１３７の内部に収納される。【０２７１】
収納部材１３７の上面には開口１３７Ｃが形成されており、図３０に示すように、リリースボタン１３８は開口１３７Ｃを介して外部に突出している。【０２７２】
また、収納部材１３７の内壁には連結環１３７Ｂに隣接して凹部１３７Ｄが形成されている。凹部１３７Ｄは案内部材１５４のベース壁部１６１が嵌合可能な形状をなしている。【０２７３】
リリースボタン１３８は、収納部材１３７の開口１３７Ｃから外部に突出可能な第一部分１３８Ａと、第一部分１３８Ａの下縁から相互に反対方向に外側に延びる一対の係止部１３８Ｂと、第一部分１３８Ａの下縁から第一部分１３８Ａの下方において第一部分１３８Ａの内側に向かって延びる４分円形状の一対の第二部分１３８Ｃと、第一部分１３８Ａの下縁から第二部分１３８Ｃに隣接して鉛直方向下方に延びるプレート状の第三部分１３８Ｄと、から構成されている。【０２７４】
一対の第二部分１３８Ｃの各々の先端は第一部分１３８Ａの中央の下方において相互に接しており、このため、一対の第二部分１３８Ｃは協働して半円形状のアーチを形成している。後述するように、アーチ状の第二部分１３８Ｃが雄連結具１１０のリング状溝１１１の下縁に係合する。【０２７５】
一対の第三部分１３８Ｄは案内部材１５４の第二壁部１６３に形成されている一対の凹部１６３Ｂの各々に係合することによって、収納部材１３７の内部において、案内部材１５４に対して固定される。【０２７６】
図３０に示すように、一対の係止部１３８Ｂが収納部材１３７の内壁に係合することにより、第一部分１３８Ａは収納部材１３７の内部に収納される。リリースボタン１３８が収納部材１３７の内部に収納された状態においては、図３０に示すように、第一部分１３８Ａは第一壁部１６２の上に乗った状態にある。【０２７７】
上記のような構造を有する本実施形態に係る連結具５００は次のように使用される。【０２７８】
雄連結具１１０を収納部材１３７の内部に挿入すると、雄連結具１１０は案内部材１５４の環状壁１６３Ａを通過する。雄連結具１１０はリリースボタン１３８のアーチ状の第二部分１３８Ｃを下方に押し下げながら、案内部材１５４の内部を挿入方向Ａに進行し、雄連結具１１０のリング状溝１１１とアーチ状の第二部分１３８Ｃとが上下方向に並ぶ位置に到達すると、アーチ状の第二部分１３８Ｃは第一壁部１６２の弾性力によって、上方に付勢される。この結果、アーチ状の第二部分１３８Ｃが雄連結具１１０のリング状溝１１１に下方から係合し、雄連結具１１０は案内部材１５４ひいては収納部材１３７に対して固定される。【０２７９】
雄連結具１１０を収納部材１３７から抜き取るときには、リリースボタン１３８を下方に押し下げる。リリースボタン１３８が下方に押し下げられると、アーチ状の第二部分１３８Ｃも下方に移動するため、第二部分１３８Ｃと雄連結具１１０のリング状溝１１１との係合が解除される。この状態を維持したまま（リリースボタン１３８を下方に押したまま）、雄連結具１１０を挿入方向Ａとは反対の方向に引き抜くことにより、雄連結具１１０を収納部材１３７から取り出すことができる。【０２８０】
以上のように、本実施形態に係る連結具５００によっても、第一の実施形態に係る連結具１００と同様の効果を得ることができる。また、本実施形態に係る連結具５００においては第四の実施形態における連結具４００と同様に一体として形成された収納部材が用いられているが、連結具４００の収納部材１３５とは異なり、弾性を有する材料で作られているわけではない。その代わりに収納部材１３７に開口１３７Ｃを設け、リリースボタン１３８が開口１３７Ｃを介して外部に露出するように配し、第一部分１３８Ａが第一壁部１６２の上に乗った状態にあることで、リリースボタン１３８を押すことで第一壁部１６２を押圧可能になっている。このため、収納部材に弾性を有する材料を用いなくても一体として形成された収納部材を使用することが可能となっている。
また、リリースボタン１３８の第二部分１３８Ｃが溝１１１に係合するため、案内部材１５４には、溝１１１と係合する部分は設けられていない。【０２８１】
本実施形態に係る連結具５００は上記の構造に限定されるものではなく、種々の改変が可能である。【０２８２】
図３１は本実施形態の変形例に係る連結具５００Ａの分解斜視図、図３２は、本変形例に係る連結具５００Ａにおいて、雄連結具１１０を雌連結具１２０の内部に挿入した状態を示す縦断面図であり、図３３は、雄連結具１１０を雌連結具１２０から取り外す場合の状態を示す縦断面図である。【０２８３】
図３１に示すように、本変形例における案内部材１５４Ａは、第一の実施形態における案内部材１５０の第三壁部１６４及び第四壁部１６５と同様の壁部を有するものとして形成されている。案内部材１５４Ａが第三壁部１６４及び第四壁部１６５を有することに対応して、収納部材１３７には、凹部１３７Ｄに代えて、第三壁部１６４及び第四壁部１６５が係止する孔１３７Ｅが形成されている。【０２８４】
案内部材１５４のベース壁部１６１が収納部材１３７の凹部１３７Ｄ（図２９参照）に嵌め込まれることにより案内部材１５４が収納部材１３７の内部に位置決めされる第五の実施形態と比較して、案内部材１５４Ａが第三壁部１６４及び第四壁部１６５を介して収納部材１３７の内部に位置決めされる本変形例においては、より安定的に案内部材１５４を位置決めすることが可能である。【０２８５】
（第六の実施形態）
図３４は本発明の第六の実施形態に係る連結具６００の分解斜視図、図３５は雄連結具１１０を雌連結具１２０の内部に挿入した状態を示す縦断面図であり、図３６は、雄連結具１１０を雌連結具１２０から取り外す場合の状態を示す縦断面図である。【０２８６】
図３４に示すように、本実施形態に係る連結具６００は、雄連結具１１０と雌連結具１２０とからなり、雌連結具１２０は、案内部材１５５と、第一ボディ部材１３０Ｂと、第二ボディ部材１４０Ｂと、外側カバー部材１７０Ａと、から構成されている。【０２８７】
第一ボディ部材１３０Ｂは下方に開口する上方に凸のドーム状の部材であり、上面には長円形状の開口部１３０Ｃが形成されている。【０２８８】
第二ボディ部材１４０Ｂは上方に開口する下方に凸のドーム状の部材であり、底面には長円形状の開口部１４０Ｃが形成されている。【０２８９】
外側カバー部材１７０Ａは上下方向に貫通する孔１７０ＡＡを有しており、図３５及び図３６に示すように、その貫通孔１７０ＡＡには第一ボディ部材１３０Ｂ及び第二ボディ部材１４０Ｂが嵌合するようになっている。案内部材１５５は第一ボディ部材１３０Ｂと第二ボディ部材１４０Ｂとの間に挟まれた状態で外側カバー部材１７０Ａの貫通孔１７０ＡＡの内部に収納される。【０２９０】
外側カバー部材１７０Ａの表面には雄連結具１１０が通過可能な孔１７０ＡＢが形成されており、孔１７０ＡＢの反対側には連結環１７０ＡＣが形成されている。【０２９１】
案内部材１５５は、ベース壁部１６１と、ベース壁部１６１の上端から雄連結具１１０の挿入方向Ａの反対方向に延びる第一壁部１６２と、ベース壁部１６１の下端から第一壁部１６２と同一方向に延びる第二壁部１６３と、ベース壁部１６１の左側端から第一壁部１６２と同一方向に延びる第三壁部１６４と、第一延長部１７５と、第二延長部１７６と、から構成されている。【０２９２】
第一壁部１６２の先端１６２Ｅは第二壁部１６３に向かって屈曲しており、同様に、第二壁部１６３の先端１６３Ｅは第一壁部１６２に向かって屈曲している（図３５及び図３６参照）。【０２９３】
第一壁部１６２及び第二壁部１６３はベース壁部１６１を中心として相互に近づく方向に弾性力を有している。すなわち、第一壁部１６２の先端１６２Ｅ及び第二壁部１６３の先端１６３Ｅは相互に近づく方向に付勢されている。【０２９４】
第三壁部１６４及び第四壁部１６５は第一壁部１６２及び第二壁部１６３よりも長く形成されており、第三壁部１６４及び第四壁部１６５の先端にはそれぞれ半円形状の第一支持部材１６４Ａ及び第二支持部材１６５Ａが形成されている。第一支持部材１６４Ａ及び第二支持部材１６５Ａは第一壁部１６２及び第二壁部１６３の前方において相互に接触し、雄連結具１１０の挿入方向Ａに中心軸を有する環状のリングを形成している。【０２９５】
第一延長部１７５は、第一壁部１６２の左側縁から第三壁部１６４の外側を回って第二壁部１６３を越える位置まで延びる第一部分１７５Ａと、第一部分１７５Ａの下端と連結し、第一壁部１６２及び第二壁部１６３と平行に広がる長円形状の第二部分１７５Ｂと、から構成されている。【０２９６】
第二延長部１７６は、第二壁部１６４の右側縁から第四壁部１６５の外側を回って第一壁部１６２を越える位置まで延びる第一部分１７６Ａと、第一部分１７６Ａの上端と連結し、第一壁部１６２及び第二壁部１６３と平行に広がる長円形状の第二部分１７６Ｂと、から構成されている。【０２９７】
図３５及び図３６に示すように、案内部材１５５は、外側カバー部材１７０Ａの貫通孔１７０ＡＡの内部に嵌め込まれた状態においては、第一ボディ部材１３０Ｂと第二ボディ部材１４０Ｂとの間に挟まれている。さらに、案内部材１５５は、第二延長部１７６の第二部分１７６Ｂの上面が第一ボディ部材１３０Ｂの開口部１３０Ｃから露出し、かつ、第一延長部１７５の第二部分１７５Ｂの上面が第二ボディ部材１４０Ｂの開口部１４０Ｃから露出するように、外側カバー部材１７０Ａの貫通孔１７０ＡＡの内部に嵌め込まれる。【０２９８】
上記のような構造を有する本実施形態に係る連結具６００は次のように使用される。【０２９９】
図３５に示すように、雄連結具１１０を外側カバー部材１７０Ａの孔１７０ＡＢを介して外側カバー部材１７０Ａの内部に収納されている案内部材１５５に挿入すると、雄連結具１１０は、第一支持部材１６４Ａ及び第二支持部材１６５Ａが形成しているリングに支持されながら、挿入方向Ａに進行する。雄連結具１１０は案内部材１５５の内部を進行している間、雄連結具１１０の外周面に第一壁部１６２の先端１６２Ｅ及び第二壁部１６３の先端１６３Ｅに接触することにより、第一壁部１６２を上方に押し上げるとともに、第二壁部１６３を下方に押し下げている。【０３００】
雄連結具１１０がさらに挿入方向Ａに進行し、雄連結具１１０のリング状溝１１１と第一壁部１６２の先端１６２Ｅ及び第二壁部１６３の先端１６３Ｅとが上下方向において並ぶ位置に到達すると、第一壁部１６２の先端１６２Ｅは第一壁部１６２の弾性力により下降し、リング状溝１１１に上方から嵌合するとともに、第二壁部１６３の先端１６３Ｅは第二壁部１６３の弾性力により上昇し、リング状溝１１１に下方から嵌合する。図３５はこの状態を示している。これにより、雄連結具１１０は案内部材１５５ひいては雌連結具１２０の内部に固定される。【０３０１】
雄連結具１１０を雌連結具１２０から引き抜く場合には、第一延長部１７５の第二部分１７５Ｂを上方に押し込むとともに、第二延長部１７６の第二部分１７６Ｂを下方に押し込む。これにより、図３６に示すように、第一壁部１６２と第二壁部１６３とは相互に離間する方向に移動し、第一壁部１６２の先端１６２Ｅは上方に移動するとともに、第二壁部１６３の先端１６３Ｅは下方に移動する。これにより、第一壁部１６２の先端１６２Ｅ及び第二壁部１６３の先端１６３Ｅと雄連結具１１０のリング状溝１１１との係合が解除され、雄連結具１１０を挿入方向Ａとは反対方向に引っ張ることにより、雄連結具１１０を雌連結具１２０から抜き出すことができる。【０３０２】
以上のように、本実施形態に係る連結具６００によっても、第一の実施形態に係る連結具１００と同様の効果を得ることができる。【０３０３】
本実施形態に係る連結具６００は上記の構造に限定されるものではなく、種々の改変が可能である。【０３０４】
本実施形態に係る連結具６００においては、第一壁部１６２の先端１６２Ｅ及び第二壁部１６３の先端１６３Ｅが雄連結具１１０のリング状溝１１１に係合するものとして形成されているが、第一壁部１６２の先端１６２Ｅ及び第二壁部１６３の先端１６３Ｅをリング状溝１１１に係合させることに代えて、第一壁部１６２及び第二壁部１６３の先端以外の部位に凸状部を形成し、その凸状部をリング状溝１１１に係合させることも可能である。【０３０５】
（第七の実施形態）
図３７は本発明の第七の実施形態に係る連結具７００の分解斜視図、図３８は、本実施形態に係る連結具７００において、雄連結具１１０を雌連結具１２０の内部に挿入した状態を示す縦断面図である。【０３０６】
本実施形態に係る連結具７００は、雄連結具１１０と雌連結具１２０とから構成されており、雌連結具１２０は、第一ボディ部材７１０と、案内部材１５６と、押しボタン７１５と、から構成されている。【０３０７】
第一ボディ部材７１０は直方体の形状をなしており、内部に案内部材１５６を収容可能な空間を形成している。【０３０８】
第一ボディ部材７１０の一つの面は開口面７１１をなしており、開口面７１１と反対側の面には連結環７１２が取り付けられている。【０３０９】
第一ボディ部材７１０の底面には円形の貫通孔７１３が形成されており、第一ボディ部材７１０の左右の側面にはそれぞれ矩形形状の貫通孔７１４が形成されている。【０３１０】
案内部材１５６は、ほぼ正方形状のベース壁１６１と、ベース壁１６１の上縁から雄連結具１１０の挿入方向Ａとは反対方向に延びる第一側壁１６２と、ベース壁１６１１の下縁から第一側壁１６２と平行に延びる第二側壁１６３３と、ベース壁１６１の右側縁から挿入方向Ａと反対方向に延びる第三側壁１６４（図３７には図示せず）と、ベース壁１６１の左側縁から第三側壁１６４と平行に延びる第四側壁１６５と、から構成されている。【０３１１】
案内部材１５６は第一ボディ部材７１０の内部に収納され、雄連結具１１０が第一ボディ部材７１０の内部に挿入されたときに、雄連結具１１０を支持する。【０３１２】
案内部材１５６は弾性力を有する材料からなる。このため、第一側壁１６２、第二側壁１６３、第三側壁１６４及び第四側壁１６５はベース壁１６１を基端としてバネとして機能する。具体的には、第一側壁１６２及び第二側壁１６３はベース壁１６１を基端として相互に離れる方向に向かう弾性力を有している。同様に、第三側壁１６４及び第四側壁１６５はベース壁１６１を基端として相互に離れる方向に向かう弾性力を有している。【０３１３】
第一側壁１６２は、その右側縁から下方に延びる鉛直部１６２Ｈを有している。鉛直部１６２Ｈの両縁（鉛直方向の両縁）からは、雄連結具１１０の挿入方向Ａと直交する方向において、それぞれ第一側面１６２Ｆ及び第二側面１６２Ｇが延びている。第一側面１６２Ｆは第二側壁１６３の先端よりも前方に位置し、第二側面１６２Ｇは第二側壁１６３上に位置している。【０３１４】
第一側面１６２Ｆには雄連結具１１０が通過可能な貫通孔１６２ＦＡが形成されており、第二側面１６２Ｇにも雄連結具１１０が通過可能な貫通孔１６２ＧＡが形成されている。【０３１５】
第一側面１６２Ｆは、案内部材１５６が第一ボディ部材７１０の内部に収容されたときに、第一ボディ部材７１０の開口面７１１を覆う大きさを有している。すなわち、第一側面１６２Ｆは第一ボディ部材７１０の開口面７１１に対する蓋として機能する。【０３１６】
第二側壁１６３の先端には、上方に向かって（第一側壁１６２に向かって）延びるロック用延長部１６３Ｃが形成されている。【０３１７】
ロック用延長部１６３Ｃの中央には雄連結具１１０が通過可能な貫通孔１６３ＣＡが形成されている。雄連結具１１０は貫通孔１６２ＦＡ、貫通孔１６２ＧＡ及び貫通孔１６３ＣＡを同時に通過可能である。【０３１８】
第三側壁１６４及び第四側壁１６５の先端は一部分が折り曲げられ、外側に突出する突出部分１６４Ｂ、１６５Ｂ（図３７においては、突出部分１６５Ｂのみ図示）を形成している。突出部分１６４Ｂ、１６５Ｂは第一ボディ部材７１０の貫通孔７１４に嵌合可能な形状を有している。【０３１９】
案内部材１５６が第一ボディ部材７１０の内部に挿入されたときに、突出部分１６４Ｂ、１６５Ｂが第一ボディ部材７１０の貫通孔７１４に嵌合することにより、案内部材１５６は第一ボディ部材７１０の内部において位置決めされた状態で収容される。【０３２０】
押しボタン７１５は、第一ボディ部材７１０の貫通孔７１３に嵌合可能な円柱状の第一部分７１５Ａと、貫通孔７１３よりも大きな直径を有する円柱状の第二部分７１５Ｂと、から構成されている。【０３２１】
以上のような構造を有する本実施形態に係る連結具７００は以下のようにして組み立てられる。【０３２２】
先ず、第一ボディ部材７１０の貫通孔７１３に押しボタン７４０の第一部分７１５Ａを嵌め込む。【０３２３】
次いで、案内部材１５６を第一ボディ部材７１０の内部に差し込み、第三側壁１６４の突出部分１６４Ｂ及び第四側壁１６５の突出部分１６５Ｂを貫通孔７１４に嵌め込む。これにより、案内部材１５６は第一ボディ部材７１０の内部において位置決めされた状態で固定される。【０３２４】
押しボタン７１５は案内部材１５６の第二側壁１６３と第一ボディ部材７１０の内壁との間に挟まれた状態にある。【０３２５】
前述のように、第一側壁１６２及び第二側壁１６３はベース壁部１６１を中心としてバネとして機能するため、案内部材１５６が第一ボディ部材７１０の内部に挿入された状態においては、図３８に示すように、第二側壁１６３は押しボタン７４０を外側に向けて押圧している状態にある。【０３２６】
このようにして、本実施形態に係る連結具７００の雌連結具１２０が組み立てられる。【０３２７】
このようにして組み立てられた本実施形態に係る連結具７００は以下のように動作する。【０３２８】
雄連結具１１０は、第一側面１６２Ｆの貫通孔１６２ＦＡ、ロック用延長部１６３Ｃの貫通孔１６３ＣＡ及び第二側面１６２Ｇの貫通孔１６２ＧＡをこの順番に通過して、案内部材１５６の内部に挿入される。【０３２９】
案内部材１５６の内部においては、雄連結具１１０は第一側面１６２Ｆの貫通孔１６２ＦＡ及び第二側面１６２Ｇの貫通孔１６２ＧＡにより支持された状態にある。【０３３０】
ロック用延長部１６３Ｃの貫通孔１６３ＣＡは雄連結具１１０のリング状溝１１１に係合しており、これにより、雄連結具１１０は案内部材１５６の内部に固定された状態にある。【０３３１】
雄連結具１１０を案内部材１５６から取り外す場合には、押しボタン７４０を第一ボディ部材７１０の外側から内側に向かって押し込む。【０３３２】
これにより、案内部材１５６の第二側壁１６３は第一側壁１６２に近づく方向（図３８の上方向）に撓む。【０３３３】
これに伴い、ロック用延長部１６３Ｃは上方に移動し、結果的に、貫通孔１６３ＣＡも上方に移動するため、ロック用延長部１６３Ｃは雄連結具１１０のリング状溝１１１から外れる。【０３３４】
このように、押しボタン７１５を押すと、雄連結具１１０と案内部材１５６との間の係合が解除されるため、雄連結具１１０を案内部材１５６から引き抜くことが可能になる。【０３３５】
雄連結具１１０を引き抜いた後、押しボタン７１５を押すことを停止すれば（すなわち、押しボタン７１５から指を離せば）、案内部材１５６の第二側壁１６３は弾性力により元の位置（図３８に示す位置）に復帰する。【０３３６】
なお、本実施形態に係る連結具７００のように、第一壁部及び第二壁部の何れか一方のみを押すことで解除が可能であるように構成した場合には、押圧される壁部（本実施形態に係る連結具７００であれば第二壁部１６３）のみが弾性力を有していれば良い。【０３３７】
以上のように、本実施形態に係る連結具７００によっても、第一の実施形態に係る連結具１００と同様の効果を奏することができる。【０３３８】
本実施形態に係る連結具７００は上記の構造に限定されるものではなく、種々の改変が可能である。【０３３９】
本実施形態に係る連結具７００においては、第一ボディ部材７１０はほぼ立方体の形状をなしているが、他の形状、例えば、円柱形状にすることも可能である。この場合、第一ボディ部材７１０の形状に応じて、案内部材１５６の全体形状を変えることも可能である。【０３４０】
本実施形態に係る連結具７００は押しボタン７１５を有するものとして構成されているが、必要に応じて、押しボタン７１５を省略することも可能である。すなわち、第一ボディ部材７１０の貫通孔７１３を介して案内部材１５６の第二側壁１６３を直接的に押すことが可能であれば、案内部材１５６と雄連結具１１０との間の係合を解除することができるので、押しボタン７１５を省略することが可能である。【０３４１】
なお、第一側面１６２Ｆ及び第二側面１６２Ｇは鉛直部１６２Ｈを介して形成することは必ずしも必要ではなく、第一側壁１６２から下方に延びるように形成することも可能である。例えば、第一側面１６２Ｆ及び第二側面１６２Ｇを溶接により第一側壁１６２の下面に取り付けることも可能である。ただし、鉛直部１６２Ｈを設けることにより、第一側面１６２Ｆ及び第二側面１６２Ｇを一枚の板材からプレス成形により形成することが可能になる。【０３４２】
また、必要に応じて第三壁部１６４及び第四壁部１６５を省略することも可能である。その場合は案内部材の第一ボディ部材７１０の内部における位置を安定させるため、第一ボディ部材７１０のサイズを、案内部材を収納し得るぎりぎりの大きさにするなど他の位置決め手段を備えていることが望ましい。
【０３４３】
（第八の実施形態）
図３９は本発明の第八の実施形態に係る連結具８００の分解斜視図、図４０は、本実施形態に係る連結具８００において、雄連結具１１０を雌連結具１２０の内部に挿入した状態を示す縦断面図である。【０３４４】
本実施形態に係る連結具８００は、図３９に示すように、雄連結具８１０と、雄連結具８１０が抜き取り可能に挿入される雌連結具８２０と、から構成されている。【０３４５】
雄連結具８１０はほぼＵ字型の形状のプレートからなり、雄連結具８１０を雌連結具８２０に挿入する方向Ａにおいて徐々に肉厚が小さくなっており、先端において最も薄くなっている。【０３４６】
雄連結具８１０の基端には３個の連結環８１２が形成されている。【０３４７】
さらに、雄連結具８１０には、挿入方向Ａと直交する方向の両端において、連結環８１２と隣接して一対の溝８１１Ａ、８１１Ｂが形成されている。【０３４８】
雌連結具８２０は、図３９に示すように、収納部材８３０と、案内部材８４０と、差込口プレート８５０と、一対の押しボタン８６０と、からなる。【０３４９】
収納部材８３０は直方体形状をなしており、雄連結具８１０及び案内部材８４０を収納可能な空間を内部に有している。【０３５０】
収納部材８３０の６面のうちの一つの面は開口面８３１を形成している。【０３５１】
収納部材８３０の開口面８３１とは反対側の面には３個の連結環８３２が取り付けられている。【０３５２】
挿入方向Ａと平行な収納部材８３０の一対の側壁には長方形状の開口部８３３が形成されている。【０３５３】
差込口プレート８５０は収納部材８３０の開口面８３１に取り外し自在に取り付けられる。差込口プレート８５０には雄連結具８１０が通過可能な長方形状の開口部８５１が形成されている。【０３５４】
案内部材８４０は全体としてＵ字型形状をなしており、挿入方向Ａに延びる第一部分８４０Ａと、第一部分８４０Ａと対向して第一部分８４０Ａに平行に延びる第二部分８４０Ｂと、第一部分８４０Ａの一端と第二部分８４０Ｂの一端とを連結する円弧状の第三部分８４０Ｃと、から構成されている。【０３５５】
案内部材８４０は弾性力を有する材料からなる。このため、第一部分８４０Ａ及び第二部分８４０Ｂは第三部分８４０Ｃを基端としてバネとして機能する。具体的には、第一部分８４０Ａ及び第二部分８４０Ｂは第三部分８４０Ｃを基端として相互に離れる方向Ｃ１、Ｃ２に向かう弾性力を有している。【０３５６】
案内部材８４０は収納部材８３０の内部に収納可能な大きさを有しており、開口面８３１を介して収納部材８３０の内部に収納される。案内部材８４０が収納部材８３０の内部に収納された後、差込口プレート８５０が収納部材８３０の開口面８３１に取り付けられる。【０３５７】
図３９に示すように、案内部材８４０の第一部分８４０Ａには第一延長部分８４３が形成されている。【０３５８】
第一延長部分８４３は、第一部分８４０Ａの上縁から第二部分８４０Ｂに向かって第二部分８４０Ｂの直前まで延びる横方向部分８４３Ａと、横方向部分８４３Ａの先端の前方の側壁から下方に延びる縦方向部分８４３Ｂと、から構成されている。後述するように、縦方向部分８４３Ｂは、雄連結具８１０が案内部材８４０の内部に挿入されたときに、雄連結具８１０の溝８１１Ｂに上方から係合する。【０３５９】
図３９に示すように、第二部分８４０Ｂの上縁には、第一延長部分８４３の横方向部分８４３Ａの延長方向において、切り欠き８４２Ａが形成されており、横方向部分８４３Ａが挿入方向Ａと直交する方向に動く場合にも、横方向部分８４３Ａは第二部分８４０Ｂとは抵触しないようになっている。【０３６０】
また、縦方向部分８４３Ｂは第二部分８４０Ｂの先端よりも前方に位置しており、横方向部分８４３Ａが挿入方向Ａと直交する方向に動く場合にも、縦方向部分８４３Ｂは第二部分８４０Ｂとは抵触しないようになっている。【０３６１】
図３９に示すように、案内部材８４０の第二部分８４０Ｂには第二延長部分８４４が形成されている。【０３６２】
第二延長部分８４４は、第二部分８４０Ｂの下縁から第一部分８４０Ａに向かって第一部分８４０Ａの直前まで延びる横方向部分８４４Ａと、横方向部分８４４Ａの先端の前方の側壁から上方に延びる縦方向部分８４４Ｂと、から構成されている。後述するように、縦方向部分８４４Ｂは、雄連結具８１０が案内部材８４０の内部に挿入されたときに、雄連結具８１０の溝８１１Ａに下方から係合する。【０３６３】
図３９に示すように、第一部分８４０Ａの下縁には、第二延長部分８４４の横方向部分８４４Ａの延長方向において、切り欠き８４１Ａが形成されており、横方向部分８４４Ａが挿入方向Ａと直交する方向に動く場合にも、横方向部分８４４Ａは第一部分８４０Ａとは抵触しないようになっている。【０３６４】
また、縦方向部分８４４Ｂは第一部分８４０Ａの先端よりも前方に位置しており、横方向部分８４４Ａが挿入方向Ａと直交する方向に動く場合にも、縦方向部分８４４Ｂは第一部分８４０Ａとは抵触しないようになっている。【０３６５】
案内部材８４０の第三部分８４０Ｃの上縁及び下縁からは一対の支持部材８４５が相互に平行に前方に向かって延びている。一対の支持部材８４５は、雄連結具８１０が案内部材８４０の内部に挿入されたときに、雄連結具８１０の先端部分を上下から支持する。【０３６６】
各支持部材８４５には貫通孔８４５Ａが形成されている。収納部材８３０の内壁には貫通孔８４５Ａに嵌まる凸状部（図示せず）が形成されており、この凸状部に貫通孔８４５Ａを嵌め込むことにより、各支持部材８４５は収納部材８３０の内部に位置決めされた状態で取り付けられる。【０３６７】
図３９に示すように、第一部分８４０Ａ及び第二部分８４０Ｂには同じ位置に長方形状の開口部８４６が形成されている。【０３６８】
押しボタン８６０は、収納部材８３０の開口部８３３に嵌合可能であり、かつ、開口部８３３に嵌合したときに開口部８３３から収納部材８３０の外側に突出する（図４０参照）第一ブロック部分８６０Ａと、案内部材８４０の第一部分８４０Ａまたは第二部分８４０Ｂの開口部８４６に嵌合可能である（図４０参照）第二ブロック部分８６０Ｂと、第一ブロック部分８６０Ａと第二ブロック部分８６０Ｂとの間に挟まれ、収納部材８３０の開口部８３３及び案内部材８４０の開口部８４６の双方よりサイズが大きい第三ブロック部分８６０Ｃ（図４０参照）と、から構成されている。【０３６９】
図４０に示すように、案内部材８４０及び押しボタン８６０が収納部材８３０の内部に配置された状態においては、第三ブロック部分８６０Ｃが収納部材８３０と案内部材８４０との間に挟まれており、第一ブロック部分８６０Ａは収納部材８３０の開口部８３３に嵌合し、さらに、開口部８３３から外側に突出し、第二ブロック部分８６０Ｂは案内部材８４０の開口部８４６に嵌合している。【０３７０】
収納部材８３０の開口部８３３から突出している第一ブロック部分８６０Ａを内側に向かって押すことにより、案内部材８４０の第一部分８４０Ａ及び第二部分８４０Ｂを収納部材８３０の外側から押すことが可能になっている。【０３７１】
前述のように、案内部材８４０の第一部分８４０Ａ及び第二部分８４０Ｂは第三部分８４０Ｃを中心として相互に離れる方向に向かう弾性力を有している。図４０に示すように、収納部材８３０との間に押しボタン８６０を挟んだ状態で収納部材８３０の内部に配置されることにより、案内部材８４０の第一部分８４０Ａ及び第二部分８４０Ｂは押しボタン８６０により相互に近づく方向に押された状態になっている。【０３７２】
以上のような構造を有する本実施形態に係る連結具８００は以下のように組み立てられる。【０３７３】
まず、収納部材８３０の内部に一対の押しボタン８６０を入れ、第一ブロック部分８６０Ａを収納部材８３０の開口部８３３に嵌め込む。【０３７４】
次いで、案内部材８４０の第一部分８４０Ａ及び第二部分８４０Ｂを相互に近づく方向に指で押した状態のまま、収納部材８３０の内部に入れ、押しボタン８６０の第二ブロック部分８６０Ｂを第一部分８４０Ａ及び第二部分８４０Ｂの開口部８４６に嵌め入れる。さらに、一対の支持部材８４５の貫通孔８４５Ａを収納部材８３０の内壁に形成されている凸状部に嵌め入れる。【０３７５】
これにより、案内部材８４０は収納部材８３０の内部に位置決めされた状態で配置される。【０３７６】
次いで、差込口プレート８５０を収納部材８３０の開口面８３１に取り付ける。【０３７７】
以上により、本実施形態に係る連結具８００における雌連結具８２０が完成する。【０３７８】
このように組み立てられた本実施形態に係る連結具８００は以下のように動作する。【０３７９】
差込口プレート８５０の開口部８５１を介して雄連結具８１０を収納部材８３０の内部に配置されている案内部材８４０の内部に挿入すると、雄連結具８１０は第一延長部分８４３の縦方向部分８４３Ｂ及び第二延長部分８４４の縦方向部分８４４Ｂと接触し、第一延長部分８４３の縦方向部分８４３Ｂ及び第二延長部分８４４の縦方向部分８４４Ｂを外側に押し広げながら、案内部材８４０の内部に進行する。【０３８０】
雄連結具８１０の溝８１２Ａ及び８１２Ｂがそれぞれ縦方向部分８４４Ｂ及び８４３Ｂの位置まで到達すると、それまで雄連結具８１０により外側に押し広げられていた縦方向部分８４４Ｂ及び８４３Ｂは案内部材８４０の弾性力により反発し、雄連結具８１０の溝８１２Ａ及び８１２Ｂに嵌合する。【０３８１】
これにより、雄連結具８１０は案内部材８４０の内部に固定される。この状態においては、図３９に示すように、雄連結具８１０の先端部分は上下方向において一対の支持部材８４５に挟まれている。【０３８２】
雄連結具８１０を案内部材８４０から取り外す場合には、一対の押しボタン８６０の各第一ブロック部分８６０Ａを収納部材８３０の外側から内側に向かって押し込む。【０３８３】
これにより、案内部材８４０の第一部分８４０Ａ及び第二部分８４０Ｂは第三部分８４０Ｃを中心として相互に近づく方向に撓む。【０３８４】
この結果、第一延長部分８４３の縦方向部分８４３Ｂは外側方向に移動することになるため、縦方向部分８４３Ｂは雄連結具８１０の溝８１１Ｂから離れ、第一延長部分８４３と溝８１１Ｂとの係合が解除される。同様に、第二延長部分８４４の縦方向部分８４４Ｂは外側方向に移動することになるため、縦方向部分８４４Ｂは雄連結具８１０の溝８１１Ａから離れ、第二延長部分８４４と溝８１１Ａとの係合が解除される。【０３８５】
以上のように、一対の押しボタン８６０の各第一ブロック部分８６０Ａを押すと、雄連結具８１０と案内部材８４０との係合が解除されるため、雄連結具８１０を案内部材８４０から引き抜くことが可能になる。【０３８６】
雄連結具８１０を引き抜いた後、押しボタン８６０の各第一ブロック部分８６０Ａを押すことを停止すれば（すなわち、各第一ブロック部分８６０Ａから指を離せば）、案内部材８４０の第一部分８４０Ａ及び第二部分８４０Ｂは案内部材８４０の弾性力により元の位置（図４０に示す位置）に復帰する。【０３８７】
以上のように、本実施形態に係る連結具８００によっても、第一の実施形態に係る連結具１００と同様の効果を奏することができる。【０３８８】
本実施形態に係る連結具８００は上記の構造に限定されるものではなく、種々の改変が可能である。【０３８９】
本実施形態に係る連結具８００においては、収納部材８３０は直方体形状をなしているが、案内部材８４０を内部に収納し得る形状である限り、任意の形状とすることが可能である。【０３９０】
また、本実施形態に係る連結具８００においては、二つの縦方向部分８４３Ｂ、８４４Ｂ及び二つの溝８１１Ａ、８１１Ｂが形成されているが、縦方向部分８４３Ｂ及び溝８１１Ｂのみを、あるいは、縦方向部分８４４Ｂ及び溝８１１Ａのみを形成することも可能である。【０３９１】
また、本実施形態における案内部材８４０は一対の支持部材８４５を有するものとして形成されているが、必要に応じて、支持部材８４５を省略することも可能である。【０３９２】
さらに、本実施形態に係る連結具８００は一対の押しボタン８６０を有するものとして構成されているが、案内部材８４０の第一部分８４０Ａ及び第二部分８４０Ｂを収納部材８３０の外側から押すことができる構造である限りにおいて、一対の押しボタン８６０を使用しないことも可能である。【０３９３】
案内部材８４０に押しボタン８６０を一体的に形成することもできる。【０３９４】
（第九の実施形態）
図４１は本発明の第九の実施形態に係る連結具９００の分解斜視図、図４２は、本実施形態に係る連結具９００において、雄連結具９１０を雌連結具９２０の内部に挿入した状態を示す縦断面図である。【０３９５】
本実施形態に係る連結具９００は、図４１に示すように、雄連結具９１０と、雄連結具９１０が抜き取り可能に挿入される雌連結具９２０と、から構成されている。【０３９６】
雌連結具９２０は、第一カバー部材９３０と、第二カバー部材９４０と、案内部材９５０と、から構成されている。【０３９７】
雄連結具９１０は厚さが一定の板部材からなり、後述する案内部材９５０の内部に挿入可能な形状を有している。雄連結具９１０の後端付近の両側縁には切り欠き９１１１が形成されており、後端には３個の連結環９１２が形成されている。前端には、中心軸に沿って後端に向かって延びるスリット９１３が形成されている。【０３９８】
案内部材９５０は、横断面がほぼＵ字型の形状をなす本体９５１と、第一延長部９５２と、第二延長部９５３と、一対のウイング９５４と、を備えている。【０３９９】
本体９５１は、平板状の第一壁部９５１Ａと、第一壁部９５１Ａと平行に延び、第一壁部９５１Ａと同一の形状をなしている第二壁部９５１Ｂと、第一壁部９５１Ａの一端と第二壁部９５１Ｂの一端を連結するＣ字型形状の連結壁９５１Ｃと、から構成されている。【０４００】
本体９５１は弾性を有する材料でつくられている。このため、本体９５１は板バネとして機能する。具体的には、本体９５１の第一壁部９５１Ａには第二壁部９５１Ｂから離れる方向に作用する弾性力が作用しており、本体９５１の第一壁部９５１Ａを第二壁部９５１Ｂに向かって押すと、第一壁部９５１Ａには元の位置に戻ろうとする反発力が発生する。同様に、本体９５１の第二壁部９５１Ｂには第一壁部９５１Ａから離れる方向に作用する弾性力が作用しており、本体９５１の第二壁部９５１Ｂを第一壁部９５１Ａに向かって押すと、第二壁部９５１Ｂには元の位置に戻ろうとする反発力が発生する。【０４０１】
第一延長部９５２は第一壁部９５１Ａの下縁から第二壁部１１１Ｂに向かって斜め前方に延びる第一部分９５２Ａと、第一部分９５２Ａの前端から上方に延びる第二部分９５２Ｂと、からなる。【０４０２】
第一部分９５２Ａは第二壁部９５１Ｂには到達しない長さを有している。【０４０３】
また、第一部分９５２Ａは第二壁部９５１Ｂの下縁より下方に位置している。このため、第一延長部９５２が第二壁部９５１Ｂに向かって移動した場合であっても、第一部分９５２Ａは第二壁部９５１Ｂとは干渉しない。【０４０４】
また、第一延長部９５２の第二部分９５２Ｂは第一部分９５２Ａの全幅よりも小さい幅を有しており、第二部分９５２Ｂは全体として第二壁部９５１Ｂよりも前方に位置するように形成されている。このため、第一延長部９５２が第二壁部９５１Ｂに向かって移動した場合であっても、第二部分９５２Ｂは第二壁部９５１Ｂとは干渉しない。【０４０５】
第二延長部９５３は第二壁部９５１Ｂの上縁から第一壁部９５１Ａに向かって斜め前方に延びる第一部分９５３Ａと、第一部分９５３Ａの前端から下方に延びる第二部分９５３Ｂと、からなる。【０４０６】
第二延長部９５３の第一部分９５３Ａ及び第二部分９５３Ｂは案内部材９５０の中心軸に関して第一延長部９５２の第一部分９５２Ａ及び第二部分９５２Ｂと上下及び左右対称に形成されている。【０４０７】
案内部材９５０は、連結壁９５１Ｃの一部を内側に折り曲げて形成された位置決め部９５４Ａを有している。位置決め部９５４Ａは上方に向かう突起９５４Ｂを備えている。【０４０８】
案内部材９５０は、さらに、第一壁部９５１Ａ及び第二壁部９５１Ｂから外側に突出するウイング９５５を有している。【０４０９】
ウイング９５５は、第一壁部９５１Ａ及び第二壁部９５１Ｂから外側に延びる第一ウイング部分９５５Ａと、第一ウイング部分９５５Ａより大きな幅を有する第二ウイング部分９５５Ｂと、第二ウイング部分９５５Ｂより小さな幅を有し、外周が曲線状をなしている第三ウイング部分９５５Ｃと、からなる。【０４１０】
第一カバー部材９３０は下方に開口している円筒形状をなしている。第一カバー部材９３０の側壁には、雄連結具９１０が通過可能な第一スリット９３０Ａと、ウイング９５４の第三ウイング部分９５４Ｃは通過可能であるが、第二ウイング部分９５４Ｂは通過不可能な第二スリット９３０Ｂ及び第三スリット９３０Ｃと、が形成されている。【０４１１】
さらに、第一カバー部材９３０の側壁には、第一スリット９３０Ａの反対側の位置に３個の連結環９３４が形成されている。【０４１２】
第一カバー部材９３０の天井面の内壁には、雄連結具９１０のスリット３２１に嵌合可能な円筒状の突起９３２と、案内部材９５０の突起９５４Ｂが嵌合可能なリング９３３とが形成されている。【０４１３】
第二カバー部材９４０は上方に開口している円筒形状をなしている。第二カバー部材９４０の側壁にも、第一カバー部材９３０の第一スリット９３０Ａ、第二スリット９３０Ｂ及び第三スリット９３０Ｃにそれぞれ対応する第一スリット９４０Ａ、第二スリット９４０Ｂ及び第三スリット９４０Ｃが形成されている。【０４１４】
第一カバー部材９３０と第二カバー部材９４０とは相互に嵌合可能であり、相互に嵌合することによって、第一カバー部材９３０及び第二カバー部材９４０は案内部材９５０を内部に収納可能な空間を形成する。【０４１５】
以上のような構造を有する本実施形態に係る連結具９００の雌連結具９２０は以下のように組み立てられる。【０４１６】
まず、案内部材９５０を第二カバー部材９４０の内部に挿入する。この状態においては、第二ウイング部分９５５Ｂは第二スリット９４０Ｂ並びに第三スリット９４０Ｃに内側から引っ掛かるため、案内部材９５０は第二カバー部材９４０の内部に固定される。【０４１７】
次いで、第二カバー部材９４０の上側から第一カバー部材９３０を嵌め込む。この際、案内部材９５０の突起９５４Ｂが第一カバー部材９３０のリング９３３に嵌め込まれるようにする。第一カバー部材９３０を第二カバー部材９４０に嵌め込んだ状態においては、図４２に示すように、第三ウイング部分９５５Ｃは第一カバー部材９３０の第二スリット９３０Ｂ及び第三スリット９３０Ｃからその一部が露出する。【０４１８】
このように組み立てられた本実施形態に係る連結具９００は以下のように使用される。【０４１９】
第一カバー部材９３０の第一スリット９３０Ａ及び第二カバー部材９４０の第一スリット９４０Ａを介して雄連結具９１０を第一カバー部材９３０及び第二カバー部材９４０の内部に配置されている案内部材９５０の内部に挿入すると、連結具８００（図３９参照）の場合と同様にして、雄連結具９１０が案内部材９５０に係合する。【０４２０】
これにより、雄連結具９１０は案内部材９５０ひいては第一カバー部材９３０及び第二カバー部材９４０の内部に固定される。【０４２１】
雄連結具９１０を案内部材９５０から取り外す場合には、第二スリット９３０Ｂ及び９４０Ｂ並びに第三スリット９３０Ｃ及び９４０Ｃから一部が露出している二つのウイング９５４を内側に向かって押し込む。【０４２２】
これにより、雌連結具９２０の第一壁部９５１Ａ及び第二壁部９５１Ｂは連結壁部９５１Ｃを中心として相互に近づく方向に撓む。
【０４２３】
これにより、第八の実施形態における案内部材８４０と同様に、雌連結具９２０と雄連結具９１０との間の係合が解除され、雄連結具９１０を雌連結具９２０から引き抜くことが可能になる。【０４２４】
雌連結具９１０を引き抜いた後、各ウイング９５４を押すことを停止すれば（すなわち、各ウイング９５４から指を離せば）、雌連結具９２０の第一壁部９５１Ａ及び第二壁部９５１Ｂはその弾性力により元の位置（図４２に示す位置）に復帰する。【０４２５】
以上のように、本実施形態に係る連結具９００によっても、第一の実施形態に係る連結具１００と同様の効果を奏することができるとともに、収納部材としての第一カバー部材９３０及び第二カバー部材９４０を用いることにより、外観を向上させることが可能である。【０４２６】
また、本実施形態に係る連結具９００においては、第八の実施形態に係る連結具８００と比較して、案内部材に設けられた一対のウイング９５５が押しボタンの役割を果たすため、押しボタンを省略することができている。【０４２７】
また、第一壁部及び第二壁部が左右に配置される本実施形態及び第八の実施形態では、図３９及び図４１に示すように平たく、薄い形状の連結具を作りやすい、という特徴がある。より具体的には、本発明により約３ｍｍ程度の薄さの連結具を提供することも可能となる。【０４２８】
（第十の実施形態）
図４３は本発明の第十の実施形態に係る連結具１０００の分解斜視図、図４４は、本実施形態に係る連結具１０００において、雄連結具１１０を雌連結具１０２０の内部に挿入した状態を示す縦断面図である。【０４２９】
本実施形態に係る連結具１０００は、雄連結具１１０と、雄連結具１１０が抜き取り可能に挿入される雌連結具１００１と、から構成されている。
【０４３０】
雌連結具１００１は、第一ボディ部材１０１０と、第二ボディ部材１０２０と、案内部材１０３０と、一対の押しボタン１０６０と、から構成されている。【０４３１】
第一ボディ部材１０１０はほぼ直方体の形状をなしており、一つの面は開口面（図４３には図示せず）をなしており、開口面と反対側の面には雄連結具１１０が通過可能な孔１０１１が形成されている。
【０４３２】
第二ボディ部材１０２０は第一ボディ部材１０１０の開口面を介して第一ボディ部材１０１０の内部に嵌合可能な枠１０２１を有しており、枠１０２１を第一ボディ部材１０１０に嵌め込むことにより、第一ボディ部材１０１０と第二ボディ部材１０２０とは取り外し可能に連結される。【０４３３】
第一ボディ部材１０１０及び第二ボディ部材１０２０は連結されたときに、案内部材１０３０を収容可能な空間を内部に形成する。【０４３４】
第二ボディ部材１０２０には、枠１０２１と反対側において、連結環１０２２が形成されている。【０４３５】
第二ボディ部材１０２０の枠１０２１には、相互に対向する一対の側壁の各々において、同一形状の開口部１０２３が形成されている。【０４３６】
また、第一ボディ部材１０１０には、第二ボディ部材１０２０を第一ボディ部材１０１０に嵌め込んだときに開口部１０２３と並ぶ位置に一対の開口部１０１２が形成されている。開口部１０１２は開口部１０２３と同一の形状である。【０４３７】
さらに、第一ボディ部材１０１０には、開口部１０１２が形成されている面と直交する面の各々に枠１０２１から外れる領域において円形の孔１０１３が形成されている。【０４３８】
案内部材１０３０は、ほぼ長方形状のベース壁１０３１と、ベース壁１０３１の上縁から雄連結具１１０が第一ボディ部材１０１０に挿入される方向Ａと反対方向に延びる第一側壁１０３２と、ベース壁１０３１の下縁から第一側壁１０３２と平行に延びる第二側壁１０３３と、ベース壁１０３１の左辺から挿入方向Ａと反対方向に延びる第三側壁１０３４と、ベース壁１０３１の右辺から第三側壁１０３４と平行に延びる第四側壁１０３５と、から構成されている。
【０４３９】
後述するように、案内部材１０３０は第一ボディ部材１０１０及び第二ボディ部材１０２０の内部に収納され、雄連結具１１０が第一ボディ部材１０１０及び第二ボディ部材１０２０の内部に挿入されたときに、雄連結具１１０を支持する。
【０４４０】
案内部材１０３０は弾性力を有する材料からなる。このため、第一側壁１０３２、第二側壁１０３３、第三側壁１０３４及び第四側壁１０３５はベース壁１０３１を基端としてバネとして機能する。具体的には、第一側壁１０３２及び第二側壁１０３３はベース壁１０３１を基端として相互に離れる方向（図４３の上下方向）に向かう弾性力を有している。同様に、第三側壁１０３４及び第四側壁１０３５はベース壁１０３１を基端として相互に離れる方向に向かう弾性力を有している。【０４４１】
第一側壁１０３２はその先端において、雄連結具１１０のリング状溝１１１に係合する第一延長部１０４０を備えている。
【０４４２】
第一延長部１０４０は、第一側壁１０３２の左側縁から第二側壁１０３３に向かって（すなわち、下方に）延びる第一部分１０４１と、第一部分１０４１の下縁から雄連結具１１０が第一ボディ部材１０１０に挿入される方向Ａと直交する方向に延び、雄連結具１１０のリング状溝１１１に下方から係合する第二部分１０４２と、から構成されている。
【０４４３】
第二側壁１０３３はその先端において、雄連結具１００のリング状溝１１１に係合する第二延長部１０５０を備えている。【０４４４】
第二延長部１０５０は、第二側壁１０３３の右側縁から第一側壁１０３２に向かって（すなわち、上方に）延びる第一部分１０５１と、第一部分１０５１の上縁から雄連結具１１０が第一ボディ部材１０１０に挿入される方向Ａと直交する方向に延び、雄連結具１１０のリング状溝１１１に上方から係合する第二部分１０５２と、から構成されている。
【０４４５】
第一側壁１０３２及び第二側壁１０３３の外側表面には、第二ボディ部材１０２０に嵌め込まれたときに第二ボディ部材１０２０から抜け出ることを防止するために、第二ボディ部材１０２０の内壁に食い込む機能を有する突起１０４３が形成されている。【０４４６】
第三側壁１０３４及び第四側壁１０３５の先端は一部分が折り曲げられ、外側に突出する突出部分１０３４Ａ、１０３５Ａ（図４３においては、突出部分１０３４Ａのみ図示）を形成している。案内部材１０３０が第二ボディ部材１０２０の内部に挿入されたときに、突出部分１０３４Ａ、１０３５Ａが第二ボディ部材１０２０の開口部１０２３及び第一ボディ部材１０１０の開口部１０１２に嵌合することにより、案内部材１０３０は第一ボディ部材１０１０及び第二ボディ部材１０２０の内部において位置決めされた状態で収容される。【０４４７】
一対の押しボタン１０６０の各々は、第一ボディ部材１０１０の孔１０１３に嵌合可能な円柱状の第一部分１０６１と、孔１０１３よりも大きな直径を有する円柱状の第二部分１０６２と、から構成されている。【０４４８】
以上のような構造を有する本実施形態に係る連結具１０００は以下のようにして組み立てられる。【０４４９】
まず、案内部材１０３０を第二ボディ部材１０２０の内部に差し込み、第三側壁１０３４の突出部分１０３４Ａ及び第四側壁１０３５の突出部分１０３５Ａを開口部１０２３に嵌め込む。これにより、案内部材１０３０は第二ボディ部材１０２０の内部において位置決めされた状態で固定される。【０４５０】
次いで、例えば、第一ボディ部材１０１０を直立させ、押しボタン１０６０の第一部分１０６１を第一ボディ部材１０１０の孔１０１３に嵌め込む。【０４５１】
次いで、第一ボディ部材１０１０を直立させたままの状態において、第二ボディ部材１０２０の枠１０２１を第一ボディ部材１０１０の開口面を介して第一ボディ部材１０１０に嵌め入れるとともに、第三側壁１０３４の突出部分１０３４Ａ及び第四側壁１０３５の突出部分１０３５Ａを第一ボディ部材１０１０の開口部１０１２に嵌め込む。【０４５２】
前述のように、第一側壁１０３２及び第二側壁１０３３はベース壁１０３１を中心としてバネとして機能し、方向Ｆに向かって撓んでいる。このため、案内部材１０３０が第一ボディ部材１０１０及び第二ボディ部材１０２０の内部に挿入された状態においては、図４４に示すように、押しボタン１０６０を外側に向けて押圧している状態にある。【０４５３】
このようにして、本実施形態に係る連結具１０００の雌連結具１００１が組み立てられる。【０４５４】
このようにして組み立てられた本実施形態に係る連結具１０００は以下のように使用される。【０４５５】
第一ボディ部材１０１０の孔１０１１を介して雄連結具１１０を第一ボディ部材１０１０の内部に挿入すると、雄連結具１１０は第一ボディ部材１０１０の内部に配置されている案内部材１０３０の第一延長部１０４０の第二部分１０４２及び第二延長部１０５０の第二部分１０５２に接触する。
【０４５６】
雄連結具１１０をそのまま第一ボディ部材１０１０の内部に挿入方向Ａに押し進めると、雄連結具１１０は第一延長部１０４０の第二部分１０４２を下方に押し下げ、第二延長部１０５０の第二部分１０５２を上方に押し上げながら、挿入方向Ａに進行する。
【０４５７】
雄連結具１１０のリング状溝１１１が案内部材１０３０の第一延長部１０４０の第二部分１０４２及び第二延長部１０５０の第二部分１０５２と上下方向に重なり合う位置まで到達すると、案内部材１０３０の弾性力の作用により、それまで雄連結具１１０によって下方に押し下げられていた第一延長部１０４０の第二部分１０４２は上方に付勢され、また、それまで雄連結具１１０によって上方に押し上げられていた第二延長部１０５０の第二部分１０５２は下方に付勢され、雄連結具１１０のリング状溝１１１にそれぞれ下方及び上方から嵌め込まれる。
【０４５８】
これにより、雄連結具１１０は案内部材１０３０ひいては雌連結具１００１の内部に固定される。
【０４５９】
雄連結具１１０を案内部材１０３０から取り外す場合には、一対の押しボタン１０６０を第一ボディ部材１０１０の外側から内側に向かって押し込む。
【０４６０】
これにより、案内部材１０３０の第一側壁１０３２及び第二側壁１０３３はベース壁１０３１を中心として相互に近づく方向に撓む。【０４６１】
この結果、第一延長部１０４０の第二部分１０４２は下方に移動し、第二延長部１０５０の第二部分１０５２は上方に移動し、それぞれ雄連結具１１０のリング状溝１１１から外れる。
【０４６２】
以上のように、一対の押しボタン１０６０を押すと、雄連結具１１０と案内部材１０３０との間の係合が解除されるため、雄連結具１１０を案内部材１０３０から引き抜くことが可能になる。
【０４６３】
雄連結具１１０を引き抜いた後、押しボタン１０６０を押すことを停止すれば（すなわち、押しボタン１０６０から指を離せば）、案内部材１０３０の第一側壁１０３２及び第二側壁１０３３は案内部材１０３０の弾性力により元の位置（図４４に示す位置）に復帰する。
【０４６４】
以上のように、本実施形態に係る連結具１０００によっても、第一の実施形態に係る連結具１００と同様の効果を奏することができる。【０４６５】
本実施形態に係る連結具１０００は上記の構造に限定されるものではなく、種々の改変が可能である。【０４６６】
本実施形態に係る連結具１０００においては、第一ボディ部材１０１０及び第二ボディ部材１０２０はいずれもほぼ直方体の形状をなしているが、他の形状にすることも可能である。例えば、第一ボディ部材１０１０及び第二ボディ部材１０２０を円柱形状にすることも可能である。【０４６７】
また、第一ボディ部材１０１０及び第二ボディ部材１０２０の形状に応じて、案内部材１０３０の全体形状を変えることも可能である。例えば、第一ボディ部材１０１０及び第二ボディ部材１０２０を円柱形状にした場合には、案内部材１０３０を円柱に含まれる形状に変更することも可能である。【０４６８】
本実施形態に係る連結具１０００は一対の押しボタン１０６０を有するものとして構成されているが、必要に応じて、押しボタン１０６０を省略することも可能である。すなわち、第一ボディ部材１０１０の孔１０１３を介して案内部材１０３０の第一側壁１０３２及び第二側壁１０３３を直接的に押すことが可能であれば、案内部材１０３０と雄連結具１１０との間の係合を解除することができるので、押しボタン１０６０を省略することが可能である。
【０４６９】
本実施形態における案内部材１０３０は第一延長部１０４０及び第二延長部１０５０を有するものとして構成されているが、案内部材１０３０は第一延長部１０４０及び第二延長部１０５０の何れか一方のみを有するものとして構成することも可能であり、その場合には、第一ボディ部材１０１０に形成される孔１０１３も一つでよい。【０４７０】
（第十一の実施形態）
図４５は、本発明の第十一の実施形態に係る連結具１１００の分解斜視図、図４６は、本実施形態に係る連結具１１００において、雄連結具を雌連結具の内部に挿入した状態を示す縦断面図、図４７は、雄連結具を雌連結具の内部から取り外す途中の状態を示す縦断面図、図４８は、雄連結具を雌連結具から取り外す直前の状態を示す縦断面図である。【０４７１】
図４５に示すように、本実施形態に係る連結具１１００は、雄連結具１１０と雌連結具１１０１とからなる。雌連結具１１０１は、案内部材１１１０と、連結体１１２０と、両端が開口している中空の円筒形状の収納体１１３０と、から構成されている。【０４７２】
案内部材１１１０は、雄連結具１１０が通過可能な孔１１１１Ａが形成されているベース壁部１１１１と、ベース壁部１１１１の上縁から雄連結具１１０の挿入方向Ａに延びる第一壁部１１１２と、ベース壁部１１１１の下縁から第一壁部１１１２と同一方向Ａに延びる第二壁部１１１３と、からなる。【０４７３】
案内部材１１１０は弾性力を有する材料でつくられており、第一壁部１１１２及び第二壁部１１１３はベース壁部１１１１を中心としてバネとして機能する。具体的には、第一壁部１１１２及び第二壁部１１１３はそれらの先端が相互に近づく方向に弾性力を有している。【０４７４】
第一壁部１１１２及び第二壁部１１１３には、それらの先端と基端の間において、同じ位置に凸状部１１１２Ａ及び１１１３Ａがそれぞれ形成されている。凸状部１１１２Ａ及び１１１３Ａは第一壁部１１１２及び第二壁部１１１３の一部を折り曲げることにより形成されている。後述するように、凸状部１１１２Ａ及び１１１３Ａが雄連結具１１０のリング状溝１１１に上下から係合する。【０４７５】
連結体１１２０は、収納体１１３０の内壁に沿ってスライド可能な外径を有する第一部分１１２１と、雄連結具１１０の挿入方向Ａに沿って外径が大きくなる傾斜部１１２２と、傾斜部１１２２の先端に形成されたリング状の第二部分１１２３と、傾斜部１１２２の反対側に形成された連結環１１２４と、から構成されている。【０４７６】
案内部材１１１０及び連結体１１２０は収納体１１３０の内部に収納された後、図４６乃至図４８に示すように、収納体１１３０の両端の開口の周縁が内側に曲げられる。これにより、案内部材１１１０及び連結体１１２０は収納体１１３０の内部から抜け出ることなく、連結環１１２４が収納体１１３０の外部に露出した状態において、収納体１１３０の内部に配置される。【０４７７】
図４６に示すように、収納体１１３０の内部においては、案内部材１１１０は第一壁部１１１２及び第二壁部１１１３の先端が連結体１１２０の傾斜部１１２２に接触するように配置されている。【０４７８】
上記のような構造を有する本実施形態に係る連結具１１００は以下のように使用される。【０４７９】
孔１１１１Ａを介して雄連結具１１０を案内部材１１１０の内部に挿入すると、雄連結具１１０は第一壁部１１１２の凸状部１１１２Ａを上方に押し上げながら、さらに、第二壁部１１１３の凸状部１１１３Ａを下方に押し下げながら、案内部材１１１０の内部を方向Ａに進行する。【０４８０】
第一壁部１１１２の凸状部１１１２Ａ及び第二壁部１１１３の凸状部１１１３Ａと雄連結具１１０のリング状溝１１１とが上下方向において並ぶ位置に雄連結具１１０が到達すると、第一壁部１１１２の弾性力により第一壁部１１１２の凸状部１１１２Ａは下方に移動し、リング状溝１１１に上方から係合するとともに、第二壁部１１１３の弾性力により第二壁部１１１３の凸状部１１１３Ａは上方に移動し、リング状溝１１１に下方から係合する。【０４８１】
これにより、図４６に示すように、雄連結具１１０は案内部材１１１０の内部、ひいては、収納体１１３０の内部に固定された状態になる。【０４８２】
雄連結具１１０を雌連結具１１０１から抜き取る場合には、図４７に示すように、連結体１１２０を収納体１１３０の内側に押し込む（あるいは、同様の動作として、雄連結具１１０と収納体１１３０とを相互に逆方向に引っ張ってスライドさせる）。連結体１１２０が収納体１１３０の内側に押し込まれると、連結体１１２０の傾斜部１１２２に接触している案内部材１１１０の第一壁部１１１２及び第二壁部１１１３は傾斜部１１２２に沿って傾斜部１１２２上をスライドする。第一壁部１１１２及び第二壁部１１１３が傾斜部１１２２上をスライドすると、図４７に示すように、第一壁部１１１２及び第二壁部１１１３が雄連結具１１０から離れるため、凸状部１１１２Ａ及び１１１３Ａと雄連結具１１０のリング状溝１１１との間の係合が解除される。つまり、両端が開口された収納体１１３０の一方の開口に配置された連結体１１２０は案内部材１１１０の第一壁部１１１２及び第二壁部１１１３を離間させる方向に押し広げる役割を果たしている。【０４８３】
この後、図４８に示すように、雄連結具１１０を挿入方向Ａと反対方向に引くことにより、雄連結具１１０を雌連結具１１０１から抜き出すことができる。雄連結具１１０と収納体１１３０を逆方向に引っ張ってスライドさせた場合には、係合が解除されると同時に雄連結具１１０は雌連結具１１０１から抜き出されている。【０４８４】
以上のように、本実施形態に係る連結具１１００によっても、第一の実施形態に係る連結具１００と同様の効果を奏することができる。また、本実施形態に係る連結具１１００においては、収納体１１３０の側面等には開口を設ける必要がなく、シンプルな形状をしている。そのため、収納体を製造するコストを安く抑えることが可能である。【０４８５】
本実施形態に係る連結具１１００は上記の構造に限定されるものではなく、種々の改変が可能である。【０４８６】
本実施形態に係る連結具１１００においては、第一壁部１１１２及び第二壁部１１１３の双方に凸状部１１１２Ａ及び１１１３Ａが形成されているが、第一壁部１１１２及び第二壁部１１１３の何れか一方にのみ凸状部１１１２Ａまたは１１１３Ａを形成することも可能である。【０４８７】
本実施形態に係る連結具１１００においては、凸状部１１１２Ａ及び１１１３Ａは第一壁部１１１２及び第二壁部１１１３の一部を折り曲げることにより形成されているが、例えば、第一壁部１１１２及び第二壁部１１１３の内面に凸状部を溶接により固着することも可能である。【０４８８】
なお、案内部材１１１０に代えて、図５５に示す案内部材１３２０を用いることも可能である。図５５に示す案内部材１３２０を使用した場合には第一壁部１３２２乃至第四壁部１３２５の４枚の壁部の弾性力を利用して係合するため、係合力を強くすることが可能である。【０４８９】
また、雄連結具１１０に代えて、図６８に示す雄連結具１１０Ｃを用いることができる。図６８に示す雄連結具１１０Ｃには外径を拡大した拡大径部１１０ＣＡが形成されており、例えば、雄連結具１１０を引っ張る必要がある場合には、拡大径部１１０ＣＡを持つことにより、雄連結具１１０を容易に引っ張ることが可能になる。【０４９０】
（第十二の実施形態）
図４９は、本発明の第十二の実施形態に係る連結具１２００の分解斜視図、図５０は、本実施形態に係る連結具１２００において、雄連結具を雌連結具の内部に挿入した状態を示す縦断面図である。【０４９１】
図４９に示すように、本実施形態に係る連結具１２００は、雄連結具１１０と雌連結具１２０１とからなり、雌連結具１２０１は、両端が開口している中空の円筒状の第一収納体１２１０と、案内部材１２２０と、弾性体１２３０と、連結体１２４０と、連結環本体１２５０と、から構成されている。【０４９２】
案内部材１２２０は、雄連結具１１０が通過可能な孔１２２１Ａが形成されているベース壁部１２２１と、ベース壁部１２２１の上縁から雄連結具１１０の挿入方向Ａに延びる第一壁部１２２２と、ベース壁部１２２１の下縁から第一壁部１２２２と同一方向Ａに延びる第二壁部１２２３と、ベース壁部１２２１の右側縁から雄連結具１１０の挿入方向Ａに延びる第三壁部１２２４と、ベース壁部１２２１の左側縁から雄連結具１１０の挿入方向Ａに延びる第四壁部１２２５と、からなる。【０４９３】
案内部材１２２０は弾性力を有する材料でつくられており、第一壁部１２２２乃至第四壁部１２２５はベース壁部１２２１を中心としてバネとして機能する。具体的には、第一壁部１２２２乃至第四壁部１２２５はそれらの先端が相互に近づく方向に弾性力を有している。【０４９４】
第一壁部１２２２乃至第四壁部１２２５の各々には、それらの先端と基端の間において、同じ位置に凸状部１２２２Ａ乃至１２２５Ａがそれぞれ形成されている。凸状部１２２２Ａ乃至１２２５Ａは第一壁部１２２２乃至第四壁部１２２５の一部を折り曲げることにより形成されている。後述するように、凸状部１２２２Ａ乃至１２２５Ａは雄連結具１１０のリング状溝１１１に上下左右の４方向から係合する。【０４９５】
弾性体１２３０はラバーその他の弾性材料からなる円筒状の部材である。【０４９６】
連結体１２４０は、第一収納体１２１０の内壁に沿ってスライド可能な外径を有する第一部分１２４１と、雄連結具１１０の挿入方向Ａに沿って外径が大きくなる傾斜部１２４２と、から構成されている。【０４９７】
第一部分１２４１及び傾斜部１２４２には一直径方向にわたってスリット１２４３が形成されている。傾斜部１２４２の頂点には弾性体１２３０が嵌合可能な孔１２４４が形成されている。【０４９８】
連結環本体１２５０は、円筒状の本体１２５１と、本体１２５１の一端に形成された連結環１２５２と、本体１２５１の他端に形成された一対のガイド１２５３と、から構成されている。【０４９９】
一対のガイド１２５３は連結体１２４０のスリット１２４３の内部をスライド可能である。すなわち、連結環本体１２５０は連結体１２４０に対して着脱自在に結合可能な形状を有している。【０５００】
案内部材１２２０、連結体１２４０及び連結環本体１２５０は第一収納体１２１０の内部に収納された後、図５０に示すように、第一収納体１２１０の両端の開口の周縁が内側に曲げられる。これにより、案内部材１２２０、連結体１２４０及び連結環本体１２５０は第一収納体１２１０の内部から抜け出ることなく、連結環１２５２が第一収納体１２１０の外部に露出した状態において、第一収納体１２１０の内部に配置される。【０５０１】
図５０に示すように、第一収納体１２１０の内部においては、案内部材１２２０は第一壁部１２２２乃至第四壁部１２２５の先端が連結体１２４０の傾斜部１２４２に接触するように配置されている。弾性体１２３０は傾斜部１２４２の先端の孔１２４４に嵌め込まれている。連結環本体１２５０は、一対のガイド１２５３が連結体１２４０のスリット１２４３に嵌合し、さらに、案内部材１２２０の第一壁部１２２２乃至第四壁部１２２５に形成されている開口１２２２Ｂ乃至１２２５Ｂから一対のガイド１２５３の各先端が突出するとともに、連結環１２５２が第一収納体１２１０の外部に露出するように、第一収納体１２１０の内部に配置されている。これにより、案内部材１２２０は収納体１２１０の内部で位置決めされた状態となる。
【０５０２】
上記のような構造を有する本実施形態に係る連結具１２００は以下のように使用される。【０５０３】
ベース壁部１２１１の孔１２２１Ａを介して雄連結具１１０を案内部材１２２０の内部に挿入すると、雄連結具１１０は第一壁部１２２２乃至第四壁部１２２５の各凸状部１２２２Ａ乃至１２２５Ａを外側に押しながら、案内部材１２２０の内部を方向Ａに進行する。【０５０４】
第一壁部１２２２乃至第四壁部１２２５の各凸状部１２２２Ａ乃至１２２５Ａと雄連結具１１０のリング状溝１１１とが並ぶ位置に雄連結具１１０が到達すると、第一壁部１２２２乃至第四壁部１２２５の各々の弾性力により各凸状部１２２２Ａ乃至１２２５Ａは四方向からリング状溝１１１に係合する。【０５０５】
これにより、図５０に示すように、雄連結具１１０は案内部材１２２０の内部、ひいては、第一収納体１２１０の内部に固定された状態になる。この状態においては、雄連結具１１０の先端は弾性体１２３０に当接している。【０５０６】
雄連結具１１０を雌連結具１２０１から抜き取る場合には、連結環本体１２５０ひいては連結体１２４０を第一収納体１２１０の内側に押し込む（あるいは、連結環本体１２５０と第一収納体１２１０とを相互に逆方向に引っ張る）。連結体１２４０が第一収納体１２１０の内側に押し込まれると、連結体１２４０の傾斜部１２４２に接触している案内部材１２２０の第一壁部１２２２乃至第四壁部１２２５の先端は傾斜部１２４２に沿って傾斜部１２４２上をスライドする。第一壁部１２２２乃至第四壁部１２２５の先端が傾斜部１２４２上をスライドすると、第一壁部１２２２乃至第四壁部１２２５は雄連結具１１０から離れるため、凸状部１２２２Ａ乃至１２２５Ａと雄連結具１１０のリング状溝１１１との間の係合が解除される。【０５０７】
係合が解除されると弾性体１２３０の弾性力により雄連結具１１０が押し出され、雌連結具１２０１から飛び出る。【０５０８】
以上のように、本実施形態に係る連結具１２００によっても、第一の実施形態に係る連結具１００と同様の効果を奏することができる。【０５０９】
なお、本実施形態に係る連結具１２００においては、案内部材１２２０は四個の壁部１２２２−１２２５を有するものとして形成されているが、何れか１個の壁部を有するものとして形成することも可能である。ただし、相互に対向する二つの壁部（例えば、第一壁部１２２２と第二壁部１２２３）を有することが好ましい。【０５１０】
（第十三の実施形態）
図５１は、本発明の第十三の実施形態に係る連結具１３００の分解斜視図、図５２は、本実施形態に係る連結具１３００において、雄連結具を雌連結具の内部に挿入した状態を示す縦断面図、図５３は、雄連結具を雌連結具の内部から取り外す途中の状態を示す縦断面図、図５４は、雄連結具を雌連結具から取り外す直前の状態を示す縦断面図である。【０５１１】
図５１に示すように、本実施形態に係る連結具１３００は、雄連結具１１０と雌連結具１３０１とからなる。雌連結具１３０１は、両端が開口している中空の円筒状の第一収納体１３１０と、両端が開口している中空の円筒状の第二収納体１３１１と、案内部材１３２０と、弾性体１３３０と、連結体１３４０と、連結環本体１３５０と、から構成されている。【０５１２】
第二収納体１３１１は第一収納体１３１０の外壁に沿ってスライド可能な大きさを有している。【０５１３】
案内部材１３２０は、開口１２２２Ｂ乃至１２２５Ｂが形成されていない点を除いて、第十二の実施形態における案内部材１２２０（図４９参照）と同一の構造を有している。【０５１４】
弾性体１３３０はラバーその他の弾性材料からなる円筒状の部材である。【０５１５】
連結体１３４０は、第一収納体１３１０の内壁に沿ってスライド可能な外径を有する第一部分１３４１と、雄連結具１１０の挿入方向Ａに沿って外径が大きくなる傾斜部１３４２と、傾斜部１３４２の底面から挿入方向Ａに延びる４個の延長部１３４３と、から構成されている。【０５１６】
傾斜部１３４２の頂点には弾性体１３３０が嵌合可能な孔１３４２Ａが形成されている。【０５１７】
連結環本体１３５０は、円筒状の本体１３５１と、本体１３５１の一端に形成された連結環１３５２と、本体１３５１の他端に形成され、連結体１３４０の延長部１３４３に沿ってスライド可能な４個のガイド１３５３と、から構成されている。【０５１８】
案内部材１３２０、連結体１３４０及び連結環本体１３５０は第一収納体１３１０及び第二収納体１３１１の内部に収納された後、図５２に示すように、第一収納体１３１０及び第二収納体１３１１の両端の開口の周縁が内側に曲げられる。これにより、案内部材１３２０、連結体１３４０及び連結環本体１３５０は第一収納体１３１０及び第二収納体１３１１の内部から抜け出ることなく、連結環１３５２が第一収納体１３１０及び第二収納体１３１１の外部に露出した状態において、第一収納体１３１０及び第二収納体１３１１の内部に配置される。案内部材１３２０のベース壁部１３２１は第一収納体１３１０の一方の開口の周縁と接しており、後述するように第一壁部１３２２乃至第四壁部１３２５の先端には連結体１３４０の傾斜部１３４２が接するように配置される。つまり、案内部材１３２０は第一収納体１３１０の内部に位置決めされて配置される。【０５１９】
図５２に示すように、第一収納体１３１０及び第二収納体１３１１の内部においては、案内部材１３２０は第一壁部１３２２乃至第四壁部１３２５の先端が連結体１３４０の傾斜部１３４２に接触するように配置されている。弾性体１３３０は傾斜部１３４２の先端の孔１３４２Ａに嵌め込まれている。連結環本体１３５０は、各ガイド１３５３が連結体１３４０の延長部１３４３にスライド可能に嵌合するとともに、連結環１３５２が第一収納体１３１０及び第二収納体１３１１の外部に露出するように、第一収納体１３１０及び第二収納体１３１１の内部に配置されている。【０５２０】
上記のような構造を有する本実施形態に係る連結具１３００は以下のように使用される。【０５２１】
案内部材１３２０のベース壁部１３２１の孔１３２１Ａを介して雄連結具１１０を案内部材１３２０の内部に挿入すると、雄連結具１１０は第一壁部１３２２乃至第四壁部１３２５の各凸状部を外側に押しながら、案内部材１３２０の内部を方向Ａに進行する。【０５２２】
第一壁部１３２２乃至第四壁部１３２５の各凸状部と雄連結具１１０のリング状溝１１１とが並ぶ位置に雄連結具１１０が到達すると、第一壁部１３２２乃至第四壁部１３２５の各々の弾性力により各凸状部は四方向からリング状溝１１１に係合する。【０５２３】
これにより、図５２に示すように、雄連結具１１０は案内部材１３２０の内部、ひいては、第一収納体１３１０及び第二収納体１３１１の内部に固定された状態になる。この状態においては、雄連結具１１０の先端は弾性体１３３０に当接している。【０５２４】
雄連結具１１０を雌連結具１３０１から抜き取る場合には、第二収納体１３１１と連結環本体１３５０とを逆の方向に引っ張ってスライドさせる。あるいは、連結環本体１３５０ひいては連結体１３４０を第一収納体１３１０の内部に向かって押し込む。これにより、図５３に示すように、第二収納体１３１１の開口部の周縁が連結体１３４０の延長部１３４３と接しているため、連結体１３４０も雄連結具の挿入方向Ａとは反対の方向に移動する。連結体１３４０が挿入方向Ａとは反対の方向に移動すると傾斜部１３４２と接している第一壁部１３２２乃至第四壁部１３２５は傾斜部１３４２によって離間する方向に押し広げられる。第一壁部１３２２乃至第四壁部１３２５が押し広げられると、図５３に示すように、各凸状部と雄連結具１１０のリング状溝１１１との間の係合が解除される。つまり、第二収納体１３１１は係合を解除する解除レバーの役割を果たしている。【０５２５】
係合が解除されると、図５４に示すように、弾性体１３３０の弾性力により、雄連結具１１０が押し出され、雌連結具１３０１から飛び出る。【０５２６】
以上のように、本実施形態に係る連結具１３００によっても、第一の実施形態に係る連結具１００と同様の効果を奏することができる。【０５２７】
なお、本実施形態に係る連結具１３００は二つの収納体１３１０及び１３１１を有するものとして構成されているが、第十二の実施形態と同様に、単一の収納体を有するものとして形成することも可能である。【０５２８】
図５５は本実施形態の変形例に係る連結具１３００Ａの分解斜視図である。【０５２９】
図５５に示すように、弾性体１３３０を使用せずに、連結具１３００Ａを構成することも可能である。【０５３０】
（第十四の実施形態）
図５６は、本発明の第十四の実施形態に係る連結具１４００の分解斜視図、図５７は、本実施形態に係る連結具１４００において、雄連結具を雌連結具の内部に挿入した状態を示す縦断面図、図５８は、雄連結具を雌連結具の内部から取り外す途中の状態を示す縦断面図である。【０５３１】
図５６に示すように、本実施形態に係る連結具１４００は、雄連結具１１０と雌連結具１４０１とからなる。雌連結具１４０１は、両端が開口している中空の円筒状の第一収納体１４１０と、両端が開口している中空の円筒状の第二収納体１４１１と、案内部材１４２０と、弾性体１４３０と、連結体１４４０と、連結環本体１４５０と、から構成されている。【０５３２】
第二収納体１４１１は第一収納体１４１０の外壁に沿ってスライド可能な大きさを有している。【０５３３】
案内部材１４２０は、雄連結具１１０が通過可能な孔１４２１Ａが形成されているベース壁部１４２１と、ベース壁部１４２１の上縁から雄連結具１１０の挿入方向Ａの反対方向に延びる第一壁部１４２２と、ベース壁部１４２１の下縁から雄連結具１１０の挿入方向Ａの反対方向に延びる第二壁部１４２３と、ベース壁部１４２１の右側縁から雄連結具１１０の挿入方向Ａの反対方向に延びるに延びる第三壁部１４２４と、ベース壁部１４２１の左側縁から雄連結具１１０の挿入方向Ａの反対方向に延びる第四壁部１４２５と、からなる。【０５３４】
ベース壁部１４２１の孔１４２１Ａの周縁には雄連結具１１０の挿入方向Ａに延びる補強部材１４２１Ｂが形成されている。【０５３５】
案内部材１４２０は弾性力を有する材料でつくられており、第一壁部１４２２及び第二壁部１４２３はベース壁部１４２１を中心としてバネとして機能する。具体的には、第一壁部１４２２及び第二壁部１４２３はそれらの先端が相互に近づく方向に弾性力を有している。【０５３６】
第一壁部１４２２及び第二壁部１４２３の各々の先端は折り曲げられており、雄連結具１１０のリング状溝１１１に係合可能な形状になっている。【０５３７】
第三壁部１４２４には、その先端に直交して内側に延びる延長部１４２４Ａが形成されており、延長部１４２４Ａの中央には、雄連結具１１０のリング状溝１１１よりも前方の部分１１０Ａは通過可能であるが、リング状溝１１１よりも後方の外径拡大部分１１０Ｂは通過不能な開口部１４２４Ｂが形成されている。【０５３８】
第四壁部１４２５には、その先端に直交して内側に延びる延長部１４２５Ａが形成されており、延長部１４２５Ａの中央には、雄連結具１１０が通過可能な開口部１４２５Ｂが形成されている。第四壁部１４２５の延長部１４２５Ａと第三壁部１４２４の延長部１４２４Ａとは相互に干渉しないように、相互に平行になるように形成されており、本実施形態においては、第四壁部１４２５の延長部１４２５Ａが第三壁部１４２４の延長部１４２４Ａよりも前方に位置している。【０５３９】
弾性体１４３０はコイルスプリングからなる。【０５４０】
連結体１４４０は、弾性体１４３０が嵌合可能な円筒状の第一部分１４４１と、弾性体１４３０の外径より大きく、かつ、第一収納体１４１０の内壁に沿ってスライド可能な外径を有する円形の第二部分１４４２と、第二部分１４４２から雄連結具１１０の挿入方向Ａに延びる４個の延長部１４４３と、から構成されている。【０５４１】
連結環本体１４５０は、円筒状の本体１４５１と、本体１４５１の一端に形成された連結環１４５２と、本体１４５１の他端に形成され、連結体１４４０の延長部１４４３に沿ってスライド可能な４個のガイド１４５３と、から構成されている。【０５４２】
案内部材１４２０、弾性体１４３０、連結体１４４０及び連結環本体１４５０は第一収納体１４１０及び第二収納体１４１１の内部に収納された後、図５７に示すように、第一収納体１４１０及び第二収納体１４１１の両端の開口の周縁が内側に曲げられる。これにより、案内部材１４２０、弾性体１４３０、連結体１４４０及び連結環本体１４５０は第一収納体１４１０及び第二収納体１４１１の内部から抜け出ることなく、連結環１４５２が第一収納体１４１０及び第二収納体１４１１の外部に露出した状態において、第一収納体１４１０及び第二収納体１４１１の内部に配置される。案内部材１４２０の延長部１４２５Ａは第一収納体１４１０の一方の開口の周縁と接しており、後述するように第一壁部１４２２及び第二壁部１４２３の内面には連結体１４４０の第一部分１４４１が接するように配置される。つまり、案内部材１４２０は第一収納体１４１０の内部に位置決めされて配置される。【０５４３】
図５７に示すように、第一収納体１４１０及び第二収納体１４１１の内部においては、連結体１４４０の第一部分１４４１に嵌合した弾性体１４３０は連結体１４４０の第二部分１４４２と案内部材１４２０の補強部材１４２１Ｂの先端との間に挟まれており、連結体１４４０と案内部材１４２０とを相互に遠ざける方向に付勢力を及ぼしている。連結環本体１４５０は、各ガイド１４５３が連結体１４４０の延長部１４４３にスライド可能に嵌合するとともに、連結環１４５２が第一収納体１４１０及び第二収納体１４１１の外部に露出するように、第一収納体１４１０及び第二収納体１４１１の内部に配置されている。【０５４４】
また、連結環本体１４５０の他端に形成された孔には弾性体１４４５が嵌め込まれており、弾性体１４４５は連結体１４４０の第一部分１４４１の内部に突出し、第一部分１４４１の先端は案内部材１４２０の第一壁部１４２２及び第二壁部１４２３の内面に接している。
【０５４５】
さらに、連結体１４４０の第一部分１４４１は案内部材１４２０の補強部材１４２１Ｂを介して案内部材１４２０の内部に突出している。【０５４６】
上記のような構造を有する本実施形態に係る連結具１４００は以下のように使用される。【０５４７】
案内部材１４２０の開口部１４２４Ｂ及び１４２５Ｂを介して雄連結具１１０を案内部材１４２０の内部に挿入すると、雄連結具１１０のリング状溝１１１よりも前方の部分１１０Ａは第一壁部１４２２の先端を上方に押し上げ、かつ、第二壁部１４２３の先端を下方に押し下げながら、案内部材１４２０の内部を方向Ａに進行する。【０５４８】
第一壁部１４２２の先端及び第二壁部１４２３の先端と雄連結具１１０のリング状溝１１１とが並ぶ位置に雄連結具１１０が到達すると、図５７に示すように、第一壁部１４２２及び第二壁部１４２３の各々の弾性力により第一壁部１４２２の先端及び第二壁部１４２３の先端は上下方向からリング状溝１１１に係合する。【０５４９】
これにより、図５７に示すように、雄連結具１１０は案内部材１４２０の内部、ひいては、第一収納体１４１０及び第二収納体１４１１の内部に固定された状態になる。この状態においては、雄連結具１１０の先端は弾性体１４４５に当接している。【０５５０】
雄連結具１１０を雌連結具１４０１から抜き取る場合には、連結環本体１４５０と第二収納体１４１１とを相互に逆の方向に引っ張ってスライドさせる。または、連結環本体１４５０を第一収納体１４１０の内側に押し込む。これにより、連結体１４４０の第一部分１４４１が挿入方向Ａとは反対の方向に移動し、図５８に示すように、第一壁部１４２２の先端及び第二壁部１４２３の先端が雄連結具１１０のリング状溝１１１から離れる。【０５５１】
この後、連結体１４４０は、第一壁部１４２２、第二壁部１４２３及び弾性体１４３０の弾性力により元の位置（図５７に示す位置）に戻る。【０５５２】
以上のように、本実施形態に係る連結具１４００によっても、第一の実施形態に係る連結具１００と同様の効果を奏することができる。【０５５３】
（第十五の実施形態）
図５９は本発明の第十五の実施形態に係る連結具１６００の分解斜視図、図６０は雄連結具を装着していない場合の連結具１６００の正面図、図６１は雄連結具を装着した場合の連結具１６００の縦断面図である。【０５５４】
本実施形態に係る連結具１６００は、雄連結具１１０と、雄連結具１１０が抜き取り可能に挿入される雌連結具１６０１と、から構成されている。【０５５５】
雌連結具１６０１は、両端が開口している円筒形のパイプ１６１１と、パイプ１６１１の内部を通過可能な連結環１６１２と、パイプ１６１１の内部を通過可能な円形の弾性体１６１３と、一個の押しボタン１６２０と、案内部材１６３０と、から構成されている。【０５５６】
図６１に示すように、連結環１６１２は、連結環１６１２のリング部分がパイプ１６１１の開口端から外に出るように、予めパイプ１６１１の内部に固定される。【０５５７】
パイプ１６１１の周壁には矩形形状の開口部１６１４が形成されている。【０５５８】
案内部材１６３０は、ほぼ正方形状のベース壁１６３１と、ベース壁１６３１の上縁から雄連結具１１０の挿入方向Ａとは反対方向に延びる第一壁部１６３２と、ベース壁１６３１の下縁から第一壁部１６３２と平行に延びる第二壁部１６３３と、を備えている。【０５５９】
第一壁部１６３２の先端には長方形状の切り欠き１６３４が形成されている。【０５６０】
第一壁部１６３２の左側縁からは第二壁部１６３３に向かって第一延長壁１６３５が延びており、第一延長壁１６３５の先端には、雄連結具１１０の挿入方向Ａとほぼ直交して内側に屈曲している係合部１６３６が形成されている。図６１に示すように、係合部１６３６は第二壁部１６３３の前方に位置しており、かつ、第二壁部１６３３よりも高い位置にある。係合部１６３６は、雄連結具１１０が案内部材１６３０の内部に挿入されたときに、雄連結具１１０のリング状溝１１１に下方から係合する。【０５６１】
図５９及び図６１に示すように、第二壁部１６３３は第一壁部１６３２よりも長く形成されている。【０５６２】
第二壁部１６３３の右側縁からは第一壁部１６３２に向かって第二延長壁１６３７が延びている。第二延長壁１６３７の上縁には円弧形状の雄連結具支持部１６３８が形成されている。雄連結具支持部１６３８は第一壁部１６３２の前方に位置している。雄連結具支持部１６３８は、雄連結具１１０が案内部材１６３０の内部に挿入されたときに、図６１に示すように、雄連結具１１０に上方から係合し、雄連結具１１０を支持する機能を有している。【０５６３】
さらに、第二延長壁１６３７の先端には、第二延長壁１６３７とほぼ直交して内側に屈曲している延長部１６３９が形成されている。図５９に示すように、延長部１６３９は第一延長壁１６３５に形成された係合部１６３６の前方に位置している。延長部１６３９には雄連結具１１０が通過可能な開口部１６３９Ａが形成されている。【０５６４】
図６１に示すように、延長部１６３９は、案内部材１６３０をパイプ１６１１の内部に装着したときに、パイプ１６１１の開口面を覆うような大きさを有している。【０５６５】
案内部材１６３０は弾性力を有する材料からなる。このため、第一壁部１６３２及び第二壁部１６３３はベース壁１６３１を基端としてバネとして機能する。具体的には、第一壁部１６３２及び第二壁部１６３３はベース壁１６３１を基端としてそれらの先端が相互に離れる方向（図５９の上下方向）に向かう弾性力を有している。【０５６６】
このため、第一壁部１６３２に形成されている係合部１６３６は雄連結具１１０のリング状溝１１１に係合すると、雄連結具１１０を上方に押すことになり、係合部１６３６がリング状溝１１１から外れない状態になる。【０５６７】
また、第二壁部１６３３に形成されている雄連結具支持部１６３８は雄連結具１１０を下方に押すことになる。【０５６８】
このように、雄連結具１１０が案内部材１６３０の内部に挿入されると、雄連結具１１０は上方からは雄連結具支持部１６３８により下方に押され、下方からはリング状溝１１１において係合部１６３６により上方に押されることになり、雄連結具支持部１６３８及び係合部１６３６により支持された状態にある。【０５６９】
押しボタン１６２０は、パイプ１６１１の開口部１６１４に嵌合可能な第一部分１６２１と、開口部１６１４より大きなサイズを有しており、開口部１６１４を通過できない第二部分１６２２と、第二部分１６２２の先端に形成され、下方に屈曲しているフック部分１６２３と、から構成されている。【０５７０】
図６１に示すように、押しボタン１６２０は案内部材１６３０とパイプ１６１１の間に挟まれた状態でパイプ１６１１の内部に収納される。この状態においては、第一部分１６２１がパイプ１６１１の開口部１６１４から外部に突出しており、第二部分１６２２は案内部材１６３０の第一壁部１６３２とパイプ１６１１の内壁との間に挟まれ、フック部分１６２３は案内部材１６３０の第一壁部１６３２に形成された切り欠き１６３４に係合している。【０５７１】
押しボタン１６２０にフック部分１６２３を設け、このフック部分１６２３を案内部材１６３０の切り欠き１６３４に係合させるのは、案内部材１６３０をパイプ１６１１の内部に装着したときに、案内部材１６３０がパイプ１６１１の内部において回転することを防止するためである。このように、フック部分１６２３を切り欠き１６３４に係合させてパイプ１６１１内部において案内部材１６３０は位置決めされて配置される。そのため、係合解除の操作を安定して行うことができる。【０５７２】
以上のような構造を有する本実施形態に係る連結具１６００は以下のように使用される。【０５７３】
雄連結具１１０は延長部１６３９の開口部１６３９Ａを介して案内部材１６３０の内部に挿入される。【０５７４】
雄連結具１１０が案内部材１６３０の内部に挿入されると、係合部１６３６がリング状溝１１１に下方から係合することにより、雄連結具１１０は案内部材１６３０ひいてはパイプ１６１１に対して固定される。また、この状態においては、雄連結具支持部１６３８が上方から雄連結具１１０を押さえている。【０５７５】
すなわち、雄連結具１１０が案内部材１６３０の内部に挿入されると、雄連結具１１０は上方からは雄連結具支持部１６３８により支持され、下方からはリング状溝１１１において係合部１６３６により支持された状態にある。【０５７６】
雄連結具１１０をパイプ１６１１から取り外す場合には、押しボタン１６２０をパイプ１６１１の内側に向かって押し込む。【０５７７】
押しボタン１６２０が押されると、第一壁部１６３２がベース壁１６３１に対して下方に撓み、その結果として、係合部１６３６も下方に移動する。係合部１６３６が下方に移動すると、係合部１６３６と雄連結具１１０のリング状溝１１１との係合が解除される。この状態において、雄連結具１１０を挿入方向Ａとは反対の方向に引き抜くことにより、雄連結具１１０を取り外すことができる。開口部１６３９Ａは雄連結具１１０のリング状溝１１１と連結環１１２との間の部分を支えている。また、雄連結具支持部１６３８は雄連結具１１０を上方から押さえており、第二壁部１６３３は第一壁部１６３２が下方に移動しても動かないので雄連結具１１０を下方から支えるようになる。このように、係合解除の場面においても雄連結具１１０は開口部１６３９Ａ、雄連結具支持部１６３８及び第二壁部１６３３によって支持されているため、雄連結具１１０を引き抜くときに係合部１６３６が引っかかってしまうことがない。【０５７８】
このように、本実施形態に係る連結具１６００によっても、本発明の第一の実施形態に係る連結具１００と同様の効果を奏する。【０５７９】
本実施形態に係る連結具１６００は上記の構造に限定されるものではなく、種々の改変が可能である。【０５８０】
本実施形態に係る連結具１６００においては、パイプ１６１１は円筒形状に形成されているが、パイプ１６１１を他の形状、例えば、直方体形状にすることも可能である。この場合には、案内部材１６３０の延長部１６３９は直方体の開口面に合わせた形状に変更される。【０５８１】
本実施形態に係る連結具１６００においては、第一延長壁１６３５に係合部１６３６が、第二延長壁１６３７には雄連結具支持部１６３８がそれぞれ形成されているが、第一延長壁１６３５に雄連結具支持部１６３８を、第二延長壁１６３７に係合部１６３６をそれぞれ形成することも可能である。【０５８２】
本実施形態に係る連結具１６００は押しボタン１６２０を有するものとして構成されているが、パイプ１６１１の開口部１６１４から案内部材１６３０の第一壁部１６３２を押すことができる場合には、押しボタン１６２０を省略することも可能である。【０５８３】
また、本実施形態に係る連結具１６００においては、第二延長壁１６３７には雄連結具支持部１６３８が形成されているが、雄連結具支持部１６３８に代えて、係合部１６３６のように雄連結具１１０のリング状溝１１１に上方から係合する第二係合部を形成することも可能である。この場合には、パイプ１６１１の開口部１６１４の反対側に第二の開口部を形成し、第二の開口部を介して、第二壁部１６３３を上方に押すことにより、第二係合部とリング状溝１１１との係合を解除することができる。【０５８４】
図６２は本発明の第十五の実施形態の第一変形例に係る連結具１６００Ａの分解斜視図、図６３は雄連結具を装着していない場合の連結具１６００Ａの正面図、図６４は雄連結具を装着した場合の連結具１６００Ａの縦断面図である。【０５８５】
第一変形例に係る連結具１６００Ａは、第十五の実施形態に係る連結具１６００と比較して、弾性体１６１３及び押しボタン１６２０を使用しない。【０５８６】
弾性体１６１３を使用しないことに代えて、連結具１６００Ａにおける連結環１６１２Ａには一対の突出部１６１５が形成されており、一対の突出部１６１５の間に案内部材１６３０Ａのベース壁１６３１を挟み込むことができるようになっている。【０５８７】
さらに、押しボタン１６２０を使用しないことに代えて、図６２に示すように、連結具１６００Ａにおける案内部材１６３０Ａの第一壁部１６３２の先端を含む一部は円弧状に湾曲した湾曲壁１６３２Ａを構成している（なお、押しボタン１６２０を使用しないことから、案内部材１６３０Ａには切り欠き１６３４は形成されていない）。【０５８８】
湾曲壁１６３２Ａはパイプ１６１１の内壁と同じ曲率を有している。このため、案内部材１６３０Ａをパイプ１６１１の内部に挿入すると、湾曲壁１６３２Ａはパイプ１６１１の内壁と密着した状態になる。【０５８９】
パイプ１６１１の開口部１６１４から湾曲壁１６３２Ａを下方に押すことにより、係合部１６３６が下方に移動し、係合部１６３６と雄連結具１１０のリング状溝１１１との係合が解除される。【０５９０】
なお、本変形例に係る連結具１６００Ａにおいては、第一壁部１６３２に湾曲壁１６３２Ａが形成されているが、第二壁部１６３３にも同様の湾曲壁を形成することは可能である。【０５９１】
図６５は本発明の第十五の実施形態の第二変形例に係る連結具１６００Ｂの分解斜視図、図６６は雄連結具を装着していない場合の連結具１６００Ｂの正面図、図６７は雄連結具を装着した場合の連結具１６００Ｂの縦断面図である。【０５９２】
第一変形例に係る連結具１６００Ａと比較して、第二変形例に係る連結具１６００Ｂは連結環１６１２Ａを使用しない。このため、連結具１６００Ｂにおける案内部材１６３０Ｂには、第一変形例における案内部材１６３０Ａと比較して、ベース壁１６３１には予め連結環１６１２Ｂが追加的に取り付けられている。【０５９３】
さらに、ベース壁１６３１の左右両縁は円弧状に湾曲した湾曲壁１６３１Ａを構成している。湾曲壁１６３１Ａはパイプ１６１１の内壁と同じ曲率を有しており、案内部材１６３０Ｂをパイプ１６１１の内部に挿入すると、湾曲壁１６３１Ａはパイプ１６１１の内壁と密着した状態になる。【０５９４】
第二変形例に係る連結具１６００Ｂは第一変形例に係る連結具１６００Ａと同様に機能する。【０５９５】
また、本実施形態に係る連結具のように、ロック部材が形成された案内部材と一体化された収納部材を用いる連結具においては、連結具を小型化できる、という本発明の効果が特に発揮されやすいという特徴がある。
【産業上の利用可能性】
【０５９６】
以上の実施形態及び変形例においては、本発明に係る連結具をネックレスやペンダントなどのライン状の装身具用の連結具として例示したが、本発明に係る連結具は、装身具に限定されず、ライン状の物品の両端を取り外し自在に連結するための道具として広く用いることが可能である。例えば、本発明に係る連結具は、ＩＤカードを吊り下げる紐の連結具、写真やカレンダーなどを吊り下げるための紐の連結具、照明器具に装飾物を取り付ける際の紐の連結具、暖簾などのインテリア雑貨の連結具などとして使用することが可能である。【０５９７】
また、ライン状の物品のみならず、第一の部材と第二の部材とを取り外し自在に連結するための連結具として使用することも可能である。例えば、服飾品におけるボタンの代替品としての連結具として用いることも可能である。
【符号の説明】
【０５９８】
１００  本発明の第一の実施形態に係る連結具
１１０  雄連結具
１３０  第一ボディ部材
１４０  第二ボディ部材
１５０  案内部材
２００  本発明の第二の実施形態に係る連結具
３００  本発明の第三の実施形態に係る連結具
４００  本発明の第四の実施形態に係る連結具
５００  本発明の第五の実施形態に係る連結具
６００  本発明の第六の実施形態に係る連結具
７００  本発明の第七の実施形態に係る連結具
８００  本発明の第八の実施形態に係る連結具
９００  本発明の第九の実施形態に係る連結具
１０００  本発明の第十の実施形態に係る連結具
１１００  本発明の第十一の実施形態に係る連結具
１２００  本発明の第十二の実施形態に係る連結具
１３００  本発明の第十三の実施形態に係る連結具
１４００  本発明の第十四の実施形態に係る連結具
１５００  本発明の第十五の実施形態に係る連結具
１６００  本発明の第十五の実施形態に係る連結具
【図１】
0005592031.tif 000002
【図２】
0005592031.tif 000003
【図３】
0005592031.tif 000004
【図４】
0005592031.tif 000005
【図５】
0005592031.tif 000006
【図６】
0005592031.tif 000007
【図７】
0005592031.tif 000008
【図８】
0005592031.tif 000009
【図９】
0005592031.tif 000010
【図１０】
0005592031.tif 000011
【図１１】
0005592031.tif 000012
【図１２】
0005592031.tif 000013
【図１３】
0005592031.tif 000014
【図１４】
0005592031.tif 000015
【図１５】
0005592031.tif 000016
【図１６】
0005592031.tif 000017
【図１７】
0005592031.tif 000018
【図１８】
0005592031.tif 000019
【図１９】
0005592031.tif 000020
【図２０】
0005592031.tif 000021
【図２１】
0005592031.tif 000022
【図２２】
0005592031.tif 000023
【図２３】
0005592031.tif 000024
【図２４】
0005592031.tif 000025
【図２５】
0005592031.tif 000026
【図２６】
0005592031.tif 000027
【図２７】
0005592031.tif 000028
【図２８】
0005592031.tif 000029
【図２９】
0005592031.tif 000030
【図３０】
0005592031.tif 000031
【図３１】
0005592031.tif 000032
【図３２】
0005592031.tif 000033
【図３３】
0005592031.tif 000034
【図３４】
0005592031.tif 000035
【図３５】
0005592031.tif 000036
【図３６】
0005592031.tif 000037
【図３７】
0005592031.tif 000038
【図３８】
0005592031.tif 000039
【図３９】
0005592031.tif 000040
【図４０】
0005592031.tif 000041
【図４１】
0005592031.tif 000042
【図４２】
0005592031.tif 000043
【図４３】
0005592031.tif 000044
【図４４】
0005592031.tif 000045
【図４５】
0005592031.tif 000046
【図４６】
0005592031.tif 000047
【図４７】
0005592031.tif 000048
【図４８】
0005592031.tif 000049
【図４９】
0005592031.tif 000050
【図５０】
0005592031.tif 000051
【図５１】
0005592031.tif 000052
【図５２】
0005592031.tif 000053
【図５３】
0005592031.tif 000054
【図５４】
0005592031.tif 000055
【図５５】
0005592031.tif 000056
【図５６】
0005592031.tif 000057
【図５７】
0005592031.tif 000058
【図５８】
0005592031.tif 000059
【図５９】
0005592031.tif 000060
【図６０】
0005592031.tif 000061
【図６１】
0005592031.tif 000062
【図６２】
0005592031.tif 000063
【図６３】
0005592031.tif 000064
【図６４】
0005592031.tif 000065
【図６５】
0005592031.tif 000066
【図６６】
0005592031.tif 000067
【図６７】
0005592031.tif 000068
【図６８】
0005592031.tif 000069
【図６９】
0005592031.tif 000070
【図７０】
0005592031.tif 000071
【図７１】
0005592031.tif 000072
【図７２】
0005592031.tif 000073